(57)【要約】【課題】照明のシーンの雰囲気を容易に確認する。【解決手段】空間を照明する１以上の照明機器を制御する携帯端末の制御方法であって、携帯端末のコンピュータに対して、１以上のシーンアイコンと、シーン設定ボタンとを含むシーン選択画面を表示部へ表示させ、シーン設定ボタンが選択された場合、新規シーンを設定するための設定画面と、設定完了ボタンとを含むシーン設定画面を表示部へ表示させ、ユーザによる設定画面の操作によって設定された照明状態を示す設定情報に基づいて１以上の照明機器を制御するための制御信号を１以上の照明機器へ送信させ、設定完了ボタンが選択された後、撮像部を起動させ、設定完了ボタンが選択されたときの設定情報を新規シーンの設定情報として、かつ、撮像部によって取得された画像を新規シーンのシーンアイコンとしてメモリへ記憶させ、新規シーンのシーンアイコンを含む新規シーン選択画面を表示部へ表示させる。【選択図】図２３
2015128043.tif 000002
【特許請求の範囲】
【請求項１】
空間を照明する１以上の照明機器を制御する携帯端末の制御方法であって、
前記携帯端末は、表示部と、撮像部とを備え、
前記携帯端末の制御方法は、前記携帯端末のコンピュータに対して、
前記１以上の照明機器による新たな照明状態を示す新規シーンを設定するための設定画面と、設定完了ボタンとを含むシーン設定画面を、前記表示部へ表示させ、
ユーザによる前記設定画面の操作によって設定された照明状態を示す設定情報に基づいて前記１以上の照明機器を制御するための制御信号を、前記１以上の照明機器へ送信させ、
前記設定完了ボタンが選択された後、前記撮像部を起動させ、
前記設定完了ボタンが選択されたときの前記設定情報を前記新規シーンの設定情報として、メモリへ記憶させ、かつ、前記撮像部によって画像が取得された場合、当該画像を前記新規シーンのシーンアイコンとして、前記メモリへ記憶させ、
前記新規シーンのシーンアイコンを含む新規シーン選択画面を、前記表示部へ表示させる
携帯端末の制御方法。
【請求項２】
シーン選択画面は、前記１以上の照明機器による１以上の照明状態を示す１以上のシーンに対応するシーンアイコンと、シーン設定ボタンとを含み、
前記携帯端末の制御方法は、さらに、
前記シーン選択画面を表示させ、
前記１以上のシーンアイコンのうちの１つのシーンアイコンが選択された場合に、選択されたシーンアイコンに対応するシーンが示す照明状態で前記空間を照明するように前記１以上の照明機器を制御するための制御信号を、前記１以上の照明機器へ送信させ、
前記シーン設定ボタンが選択された場合、前記シーン設定画面を、前記表示部へ表示させる
請求項１に記載の携帯端末の制御方法。
【請求項３】
前記シーン設定ボタンは、シーン作成ボタンであり、
前記シーン設定画面の表示では、前記シーン作成ボタンが選択された場合に、前記シーン設定画面を前記表示部へ表示させ、
前記新規シーン選択画面の表示では、前記１以上のシーンアイコンと、前記新規シーンのシーンアイコンとを含む前記新規シーン選択画面を、前記表示部へ表示させる
請求項２に記載の携帯端末の制御方法。
【請求項４】
前記シーン設定ボタンは、シーン編集ボタンであり、
前記シーン設定画面の表示では、前記１以上のシーンアイコンのうち１つのシーンアイコンが選択された状態で前記シーン編集ボタンが選択された場合に、前記シーン設定画面を前記表示部へ表示させ、
前記選択されたシーンアイコンに対応するシーンを編集することで前記新規シーンを設定する
請求項２に記載の携帯端末の制御方法。
【請求項５】
前記新規シーン選択画面の表示では、前記１以上のシーンアイコンのうち前記選択されたシーンアイコンの代わりに、又は、前記１以上のシーンアイコンとともに、前記新規シーンのシーンアイコンを含む前記新規シーン選択画面を、前記表示部へ表示させる
請求項４に記載の携帯端末の制御方法。
【請求項６】
前記ユーザによる操作前における前記設定画面に設定された照明状態は、選択されたシーンアイコンに対応するシーンが示す照明状態である
請求項４に記載の携帯端末の制御方法。
【請求項７】
前記携帯端末の制御方法は、さらに、前記設定完了ボタンが選択された場合に、前記撮像部を起動させるための起動ボタンを、前記表示部へ表示させ、
前記撮像部の起動では、前記起動ボタンが選択された場合に、前記撮像部を起動させる
請求項１〜６のいずれか１項に記載の携帯端末の制御方法。
【請求項８】
前記起動ボタンの表示では、前記撮像部を起動させないための不起動ボタンを、前記起動ボタンとともに前記表示部へ表示させ、
前記メモリへの記憶では、前記不起動ボタンが選択された場合、所定のデフォルト画像を前記新規シーンのシーンアイコンとして、前記メモリへ記憶させる
請求項７に記載の携帯端末の制御方法。
【請求項９】
前記携帯端末の制御方法は、さらに、前記不起動ボタンが選択された場合に、所定の複数のデフォルト画像を含むデフォルト画像選択画面を、前記表示部へ表示させ、
前記メモリへの記憶では、前記不起動ボタンが選択された場合、前記複数のデフォルト画像から選択されたデフォルト画像を前記新規シーンのシーンアイコンとして、前記メモリへ記憶させる
請求項７に記載の携帯端末の制御方法。
【請求項１０】
前記起動ボタンの表示では、前記撮像部による撮像を行うか否かを前記ユーザに確認するためのコメントを、前記起動ボタン及び前記不起動ボタンとともに、前記表示部へ表示させ、
前記起動ボタンは、前記コメントに対する同意を示すボタンであり、
前記不起動ボタンは、前記コメントに対する不同意を示すボタンである
請求項８又は９に記載の携帯端末の制御方法。
【請求項１１】
前記撮像部の起動では、前記設定完了ボタンが選択された場合に、前記撮像部を起動させる
請求項１〜６のいずれか１項に記載の携帯端末の制御方法。
【請求項１２】
前記新規シーン選択画面では、前記新規シーンのシーンアイコンを、選択された状態で表示させる
請求項１〜１１のいずれか１項に記載の携帯端末の制御方法。
【請求項１３】
前記携帯端末の制御方法は、さらに、前記設定完了ボタンが選択された場合、前記ユーザにシーン名を入力させるための入力画面を、前記表示部へ表示させ、
前記メモリへの記憶では、さらに、前記入力画面に入力されたシーン名を前記新規シーンのシーン名として、前記メモリへ記憶させる
請求項１〜１２のいずれか１項に記載の携帯端末の制御方法。
【請求項１４】
前記メモリへの記憶では、前記撮像部によって複数の画像が取得された場合、当該複数の画像を前記新規シーンのシーンアイコンとして、前記メモリへ記憶させる
請求項１〜１３のいずれか１項に記載の携帯端末の制御方法。
【請求項１５】
前記新規シーン選択画面では、前記複数の画像を並んだ状態で前記シーンアイコンとして表示させる
請求項１４に記載の携帯端末の制御方法。
【請求項１６】
前記新規シーン選択画面では、前記複数の画像を少なくとも一部が重なった状態で前記シーンアイコンとして表示させる
請求項１４に記載の携帯端末の制御方法。
【請求項１７】
前記新規シーン選択画面では、前記複数の画像に対するスクロール操作が検出された場合、又は、所定期間が経過した場合、前記複数の画像のうち最も手前に表示された画像を他の画像と入れ替えて表示させる
請求項１６に記載の携帯端末の制御方法。
【請求項１８】
空間を照明する１以上の照明機器を制御する携帯端末の制御プログラムであって、
前記携帯端末は、表示部と、撮像部とを備え、
前記携帯端末の制御方法は、前記携帯端末のコンピュータに対して、
前記１以上の照明機器による新たな照明状態を示す新規シーンを設定するための設定画面と、設定完了ボタンとを含むシーン設定画面を、前記表示部へ表示させ、
ユーザによる前記設定画面の操作によって設定された照明状態を示す設定情報に基づいて前記１以上の照明機器を制御するための制御信号を、前記１以上の照明機器へ送信させ、
前記設定完了ボタンが選択された後、前記撮像部を起動させ、
前記設定完了ボタンが選択されたときの前記設定情報を前記新規シーンの設定情報として、メモリへ記憶させ、かつ、前記撮像部によって画像が取得された場合、当該画像を前記新規シーンのシーンアイコンとして、前記メモリへ記憶させ、
前記新規シーンのシーンアイコンを含む新規シーン選択画面を、前記表示部へ表示させる
携帯端末の制御プログラム。
【発明の詳細な説明】
【技術分野】
【０００１】
本発明は、空間を照明する照明機器を制御する携帯端末の制御方法に関する。
【背景技術】
【０００２】
従来、照明機器が発する光の明るさ及び色をスライダで調整することで照明のシーンを作成し、作成したシーンに基づいて照明機器を制御する照明システムコントローラが開示されている（特許文献１参照）。
【先行技術文献】
【特許文献】
【０００３】
【特許文献１】特表２０１１−５１９１２８号公報
【発明の概要】
【発明が解決しようとする課題】
【０００４】
しかしながら、上記従来の照明システムコントローラでは、シーンの選択前にシーンの雰囲気を確認することが難しいという課題がある。
【０００５】
そこで、本発明は、シーンの雰囲気を容易に確認することができる携帯端末の制御方法を提供する。
【課題を解決するための手段】
【０００６】
上記課題を解決するため、本発明の一態様に係る携帯端末の制御方法は、空間を照明する１以上の照明機器を制御する携帯端末の制御方法であって、前記携帯端末は、表示部と、撮像部とを備え、前記携帯端末の制御方法は、前記携帯端末のコンピュータに対して、前記１以上の照明機器による新たな照明状態を示す新規シーンを設定するための設定画面と、設定完了ボタンとを含むシーン設定画面を、前記表示部へ表示させ、ユーザによる前記設定画面の操作によって設定された照明状態を示す設定情報に基づいて前記１以上の照明機器を制御するための制御信号を、前記１以上の照明機器へ送信させ、前記設定完了ボタンが選択された後、前記撮像部を起動させ、前記設定完了ボタンが選択されたときの前記設定情報を前記新規シーンの設定情報として、メモリへ記憶させ、かつ、前記撮像部によって画像が取得された場合、当該画像を前記新規シーンのシーンアイコンとして、前記メモリへ記憶させ、前記新規シーンのシーンアイコンを含む新規シーン選択画面を、前記表示部へ表示させる。
【０００７】
なお、これらの包括的又は具体的な態様は、システム、装置、集積回路、コンピュータプログラム又はコンピュータ読み取り可能なＣＤ−ＲＯＭなどの記録媒体で実現されてもよく、システム、装置、集積回路、コンピュータプログラム及び記録媒体の任意な組み合わせで実現されてもよい。
【発明の効果】
【０００８】
本発明に係る携帯端末の制御方法によれば、シーンの雰囲気を容易に確認することができる。
【図面の簡単な説明】
【０００９】
【図１】図１は、実施の形態１に係る照明システムの一例を示すブロック図である。
【図２】図２は、実施の形態１に係るシーン情報の一例を示す図である。
【図３】図３は、実施の形態１に係るシーン選択画面の一例を示す図である。
【図４】図４は、実施の形態１に係る操作対象照明情報の一例を示す図である。
【図５】図５は、実施の形態１に係るシーン作成画面の一例を示す図である。
【図６】図６は、実施の形態１に係るシーン名入力画面の一例を示す図である。
【図７】図７は、実施の形態１に係る撮影確認画面の一例を示す図である。
【図８】図８は、実施の形態１に係る新規シーン選択画面の一例を示す図である。
【図９】図９は、実施の形態１に係る新規シーン選択画面の別の一例を示す図である。
【図１０Ａ】図１０Ａは、実施の形態１に係るシーンの作成方法の一例の一部を示すフローチャートである。
【図１０Ｂ】図１０Ｂは、実施の形態１に係るシーンの作成方法の一例の残りを示すフローチャートである。
【図１１】図１１は、実施の形態１に係るシーンの作成方法において表示される画面遷移の一例を示す図である。
【図１２】図１２は、実施の形態２に係るシーン編集画面の一例を示す図である。
【図１３Ａ】図１３Ａは、実施の形態２に係るシーンの編集方法の一例の一部を示すフローチャートである。
【図１３Ｂ】図１３Ｂは、実施の形態２に係るシーンの編集方法の一例の残りを示すフローチャートである。
【図１４】図１４は、実施の形態２に係るシーンの編集方法において表示される画面遷移の一例を示す図である。
【図１５】図１５は、実施の形態２の変形例に係る保存確認画面の一例を示す図である。
【図１６】図１６は、実施の形態２の変形例に係る新規シーンの保存処理の一例を示すフローチャートである。
【図１７】図１７は、実施の形態の変形例に係るデフォルト画像選択画面の一例を示す図である。
【図１８】図１８は、実施の形態の変形例に係るデフォルト画像の選択処理の一例を示すフローチャートである。
【図１９】図１９は、実施の形態の変形例に係る撮影終了確認画面の一例を示す図である。
【図２０】図２０は、実施の形態の変形例に係るシーン選択画面の一例を示す図である。
【図２１】図２１は、実施の形態の変形例に係るシーン選択画面の別の一例を示す図である。
【図２２】図２２は、実施の形態の変形例に係るシーン選択画面の別の一例を示す図である。
【図２３】図２３は、実施の形態の変形例に係るシーンの設定方法の一例を示すフローチャートである。
【図２４】図２４は、実施の形態の変形例に係る照明システムの一例を示すブロック図である。
【発明を実施するための形態】
【００１０】
（本発明の基礎となった知見）
本発明者は、「背景技術」の欄において記載した照明システムコントローラに関し、以下の問題が生じることを見出した。
【００１１】
上記従来の照明システムコントローラでは、作成したシーンとシーン名とを対応付けて記録する。ユーザがシーンを選択しようとする場合には、シーン名がディスプレイに表示される。これにより、ユーザは、ディスプレイに表示されたシーン名を選択することで、予め作成しておいたシーンに基づいて照明機器を制御することができる。
【００１２】
しかしながら、シーン名を見ただけでは、そのシーン名に対応するシーンがどのようなものであるかを確認することができない。例えば、シーンを作成した時からシーンを選択しようとする時までに長い期間が経過した場合などにおいて、ユーザは、どのようなシーンを作成したのかを忘れてしまっている場合がある。また、複数のシーンを登録しておいた場合には、ユーザは、どのシーン名がどのシーンに対応するのかが分からなくなる場合もある。
【００１３】
これらの場合、ユーザは、ディスプレイに表示されたシーン名を１つずつ選択することで、照明機器による実際のシーンの雰囲気を逐次確認しなければならない。つまり、ユーザは、シーン名の選択と実際のシーンの雰囲気の確認とを、シーン名毎に、所望のシーンが選択されるまで行う必要がある。
【００１４】
このように、上記従来の照明システムコントローラでは、シーンが実際に選択されるまでシーンの雰囲気の確認ができずに、ユーザに煩わしい作業が課されてしまう。そこで、シーンの雰囲気を容易に行うことができる技術が求められる。
【００１５】
以下では、実施の形態について、図面を参照しながら具体的に説明する。
【００１６】
なお、以下で説明する実施の形態は、いずれも包括的又は具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、再上位概念を示す独立請求項に記載されていない構成要素については、任意の構成要素として説明される。
【００１７】
（実施の形態１）
まず、実施の形態１に係る照明システムの機能構成について、図１を用いて説明する。図１は、実施の形態１に係る照明システム１０を示すブロック図である。
【００１８】
図１に示すように、照明システム１０は、携帯端末１００と、第１照明機器２００と、第２照明機器２０１とを備える。携帯端末１００は、第１照明機器２００及び第２照明機器２０１とネットワークを介して接続されている。
【００１９】
次に、携帯端末１００の構成について説明する。
【００２０】
携帯端末１００は、空間を照明する１以上の照明機器を制御する端末の一例である。具体的には、携帯端末１００は、１以上の照明機器（図１に示す例では、第１照明機器２００及び第２照明機器２０１）の点灯、消灯、調光及び調色などを制御する。
【００２１】
携帯端末１００は、ディスプレイ及びカメラ機能を備える。例えば、携帯端末１００は、スマートフォンや携帯電話、タブレット端末、ＰＤＡ（Ｐｅｒｓｏｎａｌ  Ｄｉｇｉｔａｌ  Ａｓｓｉｓｔａｎｔ）などの携帯情報端末などである。
【００２２】
図１に示すように、携帯端末１００は、入力部１１０と、表示部１２０と、表示制御部１３０と、撮像部１４０と、照明情報管理部１５０と、照明制御部１６０と、通信部１７０とを備える。
【００２３】
入力部１１０は、ユーザによる操作入力を受け付ける。例えば、入力部１１０は、ユーザによるシーンの選択及び設定などの操作入力を受け付ける。具体的には、入力部１１０は、表示部１２０に表示されるＧＵＩ（Ｇｒａｐｈｉｃａｌ  Ｕｓｅｒ  Ｉｎｔｅｒｆａｃｅ）コンポーネント（ウィジェット）の操作を受け付ける。入力部１１０は、ユーザによる操作に基づいた情報を、表示制御部１３０、照明情報管理部１５０及び照明制御部１６０などに出力する。
【００２４】
例えば、入力部１１０は、表示部１２０に表示されるプッシュボタンのユーザによる押下を検出する。また、入力部１１０は、表示部１２０に表示されるスライダをユーザが操作することで設定される設定値を取得する。また、入力部１１０は、表示部１２０に表示されるテキストボックスに、ユーザによって入力されたテキストを取得する。
【００２５】
例えば、入力部１１０は、タッチスクリーン（タッチパネル）の静電容量センサなどの各種センサである。つまり、入力部１１０は、タッチスクリーンの入力機能を実現する。入力部１１０は、具体的には、タッチスクリーンに表示されたＧＵＩコンポーネントに対するユーザの操作を受け付ける。より具体的には、入力部１１０は、タッチスクリーンに表示されたプッシュボタンの押下、若しくは、スライダの操作を検出し、又は、ソフトウェアキーボードを介して入力されたテキストなどを取得する。なお、入力部１１０は、携帯端末１００に設けられた物理的なボタンでもよい。
【００２６】
表示部１２０は、表示制御部１３０によって生成された画面（画像）を表示する。例えば、表示部１２０は、シーン選択画面、シーン設定画面、シーン名入力画面、及び、撮影確認画面などを表示する。各画面は、ユーザによって操作可能なＧＵＩコンポーネントを含んでいる。なお、表示部１２０に表示される画面の具体例については、後で説明する。
【００２７】
例えば、表示部１２０は、液晶ディスプレイ又は有機ＥＬ（Ｏｒｇａｎｉｃ  Ｅｌｅｃｔｒｏ−Ｌｕｍｉｎｅｓｃｅｎｃｅ：ＯＥＬ）ディスプレイである。具体的には、表示部１２０は、タッチスクリーン（タッチパネル）の表示機能を実現する。
【００２８】
表示制御部１３０は、表示部１２０に表示するための画面を生成する。具体的には、表示制御部１３０は、シーン選択画面、シーン設定画面、シーン名入力画面、及び、撮影確認画面などを生成する。表示制御部１３０は、生成した各画面を表示部１２０に表示させる。
【００２９】
具体的には、表示制御部１３０は、照明情報管理部１５０によって管理されるシーン情報に基づいてシーン選択画面を生成する。また、表示制御部１３０は、照明情報管理部１５０によって管理される操作対象照明情報に基づいてシーン設定画面を生成する。
【００３０】
例えば、表示制御部１３０は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）などで構成される。
【００３１】
撮像部１４０は、撮影画像を取得するためのカメラ機能を実現する。具体的には、撮像部１４０は、新規シーンの設定完了ボタンが選択された後に起動される。撮像部１４０が取得した画像は、シーンアイコンとして照明情報管理部１５０によって管理される。
【００３２】
例えば、撮像部１４０は、カメラユニットである。具体的には、撮像部１４０は、光学レンズ及びイメージセンサなどを有する。撮像部１４０は、光学レンズを介して入射した光を、イメージセンサによって画像信号に変換して出力する。
【００３３】
なお、撮像部１４０の起動とは、撮像部１４０による撮影が可能な状態になることである。例えば、起動とは、シャッターボタンを押下することで、画像を取得することができる状態になることである。具体的には、起動とは、画像を取得するためのアプリケーションソフトウェアが立ち上がることである。例えば、起動とは、ライブビュー画像とシャッターボタンとが表示部１２０に表示されることである。
【００３４】
照明情報管理部１５０は、シーン情報及び操作対象照明情報を管理する。シーン情報は、１以上のシーンを示す情報である。操作対象照明情報は、携帯端末１００によって制御可能な１以上の照明機器を示す情報である。シーン情報及び操作対象照明情報については、後で説明する。
【００３５】
例えば、照明情報管理部１５０は、ＲＡＭ又は不揮発性メモリなどのメモリである。なお、照明情報管理部１５０は、携帯端末１００に着脱可能なメモリでもよい。
【００３６】
照明制御部１６０は、１以上の照明機器（第１照明機器２００及び第２照明機器２０１）を制御するための制御信号を生成する。照明制御部１６０は、通信部１７０を介して、生成した制御信号を１以上の照明機器に送信する。例えば、照明制御部１６０は、ＣＰＵ、ＲＯＭ及びＲＡＭなどで構成される。
【００３７】
制御信号は、例えば、照明機器毎に生成され、対応する照明機器の機能に応じた設定パラメータ、及び、その設定値を含んでいる。具体的には、制御信号は、調光機能の設定値（調光比）又は調色機能の設定値（色温度）などを示す情報を含んでいる。
【００３８】
通信部１７０は、照明制御部１６０によって生成された制御信号を、ネットワークを介して接続された１以上の照明機器に送信する。
【００３９】
例えば、通信部１７０は、無線ＬＡＮ（Ｌｏｃａｌ  Ａｒｅａ  Ｎｅｔｗｏｒｋ）モジュール、Ｂｌｕｅｔｏｏｔｈ（登録商標）モジュール、ＮＦＣ（Ｎｅａｒ  Ｆｉｅｌｄ  Ｃｏｍｍｕｎｉｃａｔｉｏｎ）モジュールなどの通信インタフェースである。なお、通信部１７０は、有線ＬＡＮ端子などでもよい。
【００４０】
次に、携帯端末１００によって制御される１以上の照明機器について説明する。
【００４１】
第１照明機器２００及び第２照明機器２０１は、１以上の照明機器の一例である。第１照明機器２００及び第２照明機器２０１は、例えば、調光機能及び調色機能の少なくとも１つを有する。なお、第１照明機器２００及び第２照明機器２０１は、互いに異なる機種の照明機器でもよく、同種の照明機器でもよい。
【００４２】
第１照明機器２００及び第２照明機器２０１は、例えば、空間内の互いに異なる位置に配置される。第１照明機器２００及び第２照明機器２０１は、同一の空間を異なる方向から照明することができるように配置されている。
【００４３】
ここで、同一の空間は、例えば、「リビングルーム」、「ダイニングルーム」及び「廊下」で構成される空間である。例えば、第１照明機器２００は、主に「リビングルーム」を照明する「リビングシーリングライト」であり、第２照明機器２０１は、主に「ダイニングルーム」を照明する「ダイニングライト」である。
【００４４】
なお、第１照明機器２００及び第２照明機器２０１は、必ずしも同一の空間内に配置されていなくてもよい。すなわち、１以上の照明機器は、異なる空間を照明する照明機器を含んでいてもよい。例えば、第１照明機器２００は、「リビングルーム」に配置された「リビングシーリングライト」であり、第２照明機器２０１は、「寝室」に配置された「寝室シーリングライト」でもよい。
【００４５】
図１に示すように、第１照明機器２００は、通信部２１０と、運転制御部２２０とを備える。なお、図示しないが、第２照明機器２０１も同様に、通信部２１０と、運転制御部２２０とを備える。
【００４６】
通信部２１０は、携帯端末１００から送信される制御信号を受信する。なお、通信部２１０は、携帯端末１００の通信部１７０から送信される制御信号を、ブリッジ又はルーターなどの通信機器を介して受信してもよい。
【００４７】
例えば、通信部２１０は、無線ＬＡＮモジュール、Ｂｌｕｅｔｏｏｔｈ（登録商標）モジュール、ＮＦＣモジュールなどの通信インタフェースである。なお、通信部２１０は、有線ＬＡＮ端子などでもよい。
【００４８】
運転制御部２２０は、通信部２１０によって受信された制御信号に基づいて、第１照明機器２００の調光及び調色を行う。例えば、運転制御部２２０は、第１照明機器２００が発する光の明るさ及び色が、制御信号に含まれる設定値になるように、調光及び調色を行う。
【００４９】
以上のように、本実施の形態に係る照明システム１０では、第１照明機器２００及び第２照明機器２０１は、携帯端末１００から送信される制御信号に基づいて、明るさ及び色などが調整される。このように、本実施の形態では、携帯端末１００が１以上の照明機器を制御することで、空間の照明状態を調整することができる。
【００５０】
続いて、表示制御部１３０が生成する画面であって、表示部１２０に表示される画面について、図２〜図９を用いて説明する。
【００５１】
まず、照明情報管理部１５０に管理されているシーン情報と、シーン情報に基づいて生成されるシーン選択画面とについて、図２及び図３を用いて説明する。図２は、実施の形態１に係るシーン情報の一例を示す図である。図３は、実施の形態１に係るシーン選択画面３００を示す図である。
【００５２】
シーン情報は、１以上のシーンを示す情報である。１以上のシーンは、１以上の照明機器による照明状態であって、空間の１以上の照明状態を示す。１つのシーンには、１つの照明状態が対応付けられている。
【００５３】
空間は、１以上の照明機器によって照明される空間である。例えば、空間は、１以上の照明機器が設置されている１以上の部屋内の空間である。一例として、空間は、「リビングルーム」、「ダイニングルーム」及び「廊下」から構成される空間である。
【００５４】
図２に示すように、シーン情報は、シーン名と、シーンアイコンと、照明機器の設定情報とを含んでいる。１つのシーンに対して、シーン名と、シーンアイコンと、照明機器の設定情報とが対応付けられている。つまり、照明情報管理部１５０は、シーン毎に、シーン名と、シーンアイコンと、照明機器の設定情報とを対応付けて管理している。
【００５５】
シーン名は、シーンを識別するためにユーザによって設定された名称である。具体的には、シーン名は、後述するシーン名入力画面を介してユーザによって入力されたテキストである。図２に示すように、ユーザは、「パーティー」、「食事」などのユーザ自身にとって照明状態を想像しやすい名称をシーン名として設定することができるので、シーンの雰囲気を容易に推定することができる。
【００５６】
シーンアイコンは、撮像部１４０によって取得された画像である。例えば、当該画像は、１以上の照明機器によって照明された空間を撮影することで取得された画像である。図２に示す例では、シーンとシーンアイコンとが１対１に対応付けられている。なお、シーンアイコンとして、撮像部１４０によって取得された画像の代わりに、予め定められたデフォルト画像が登録されている場合もある。
【００５７】
設定情報は、後述するシーン設定画面においてユーザによって設定された照明状態を示す情報である。具体的には、設定情報は、１以上の照明機器それぞれの設定パラメータ及びその設定値を示す情報である。例えば、照明機器は、調光機能及び調色機能の少なくとも１つを有するので、設定情報は、１以上の照明機器それぞれの調光設定情報及び調色設定情報の少なくとも１つを含む。
【００５８】
調光機能は、照明機器から発せられる光の明るさを調節する機能である。調光機能の設定値（調光比）は、例えば、「０〜１００」の値で示される。調光比が大きくなるにつれて、照明機器から発せられる光の明るさが明るくなる。調光比が「０」であることは、照明機器が消灯していることを意味し、調光比が「１００」であることは、照明機器が最大電力で点灯していることを意味する。
【００５９】
調色機能は、照明機器から発せられる光の色を調節する機能である。具体的には、調色機能は、光の色温度を調節する機能である。調色機能の設定値（色温度）は、例えば、「２１００Ｋ〜５０００Ｋ」の値で示される。色温度が低い程、暖色系の色になり、色温度が高い程、寒色系の色になる。例えば、「電球色」は、色温度が約「２８００Ｋ」であり、「温白色」は、色温度が約「３５００Ｋ」であり、「昼光色」は、色温度が約「５０００Ｋ」である。
【００６０】
なお、１以上の照明機器は、点灯機能及び消灯機能のみを有する照明機器を含んでもよい。この場合、当該照明機器は、調光比が「０」及び「１００」のみの値に設定可能な照明機器として扱うことができる。
【００６１】
既存のシーンとは異なる新たなシーンが設定された場合には、シーン情報に新規シーンとして登録される。このとき、新規シーンが新たに作成された場合には、新規シーンのシーン名、シーンアイコン及び設定情報がシーン情報に追加登録される。例えば、図２に示す例では、「Ｎｏ．８」のシーンとして新規シーンが登録される。新規シーンの作成の詳細については、後で説明する。
【００６２】
一方で、既存のシーンを編集することで新規シーンが設定された場合には、新規シーンのシーン名、シーンアイコン及び設定情報は、既存のシーンのシーン名、シーンアイコン及び設定情報の代わりに登録される。新規シーンの編集の詳細については、実施の形態２で説明する。
【００６３】
以上のようなシーン情報に基づいて、シーン選択画面は生成される。具体的には、表示制御部１３０は、図２に示すシーン情報に基づいて、図３に示すシーン選択画面３００を生成して表示部１２０に表示させる。
【００６４】
シーン選択画面３００は、１以上のシーンの中からユーザに１つのシーンを選択させるための画面である。また、シーン選択画面３００は、新規シーンを設定するためのシーン設定ボタンを含んでいる。
【００６５】
図３に示すように、シーン選択画面３００は、１以上のシーンアイコン３１０と、シーン名３２０と、作成ボタン３３０と、編集ボタン３４０と、スクロールボタン３５０とを含んでいる。
【００６６】
１以上のシーンアイコン３１０は、１以上のシーンに１対１に対応している。シーンアイコン３１０は、撮像部１４０によって取得された画像である。具体的には、シーンアイコン３１０は、対応するシーンが示す照明状態で照明された空間を撮影することで取得された画像である。
【００６７】
シーンアイコン３１０は、ユーザによって選択可能である。つまり、シーンアイコン３１０は、タッチスクリーンに触れるユーザの指などによって選択される。入力部１１０は、シーンアイコン３１０が選択されたことを検出した場合、表示制御部１３０及び照明制御部１６０に、選択されたシーンアイコン３１０を示す情報を通知する。
【００６８】
なお、図３に示すように、「食事」を示すシーンアイコン３１０は、所定の枠３６０で囲まれている。これは、「食事」を示すシーンアイコン３１０が現在選択されていることを意味し、「食事」を示すシーンアイコン３１０に対応する照明状態で空間が照明されていることを意味している。
【００６９】
なお、シーンアイコン３１０が選択されていることを示す方法は、これに限らない。例えば、選択されたシーンアイコン３１０をハイライト表示又は点滅表示させてもよい。あるいは、選択されたシーンアイコン３１０に対応するシーン名３２０を太字で表示してもよい。
【００７０】
シーン名３２０は、対応するシーンアイコン３１０の下方に表示されている。なお、シーン名３２０は、シーンアイコン３１０の近傍に表示されればよい。例えば、シーン名３２０は、シーンアイコン３１０の左方、右方又は上方に表示されてもよい。また、シーン名３２０は、シーンアイコン３１０に重複して表示されてもよい。
【００７１】
なお、シーン名３２０は、表示されなくてもよい。また、シーン名３２０が表示されている場合には、シーンアイコン３１０だけでなく、シーン名３２０が選択可能であってもよい。
【００７２】
作成ボタン３３０及び編集ボタン３４０は、シーン設定ボタンの一例である。作成ボタン３３０は、シーンを新規作成するためのボタンであり、編集ボタン３４０は、既存のシーンを編集するためのボタンである。
【００７３】
作成ボタン３３０及び編集ボタン３４０は、ＧＵＩコンポーネントの一例であり、例えば、プッシュボタンである。ユーザによって作成ボタン３３０又は編集ボタン３４０が選択された場合、後述するシーン作成画面又はシーン編集画面が表示部１２０に表示される。具体的には、入力部１１０が作成ボタン３３０又は編集ボタン３４０の押下を検出した場合に、表示制御部１３０は、シーン作成画面又はシーン編集画面を生成し、表示部１２０に表示させる。
【００７４】
なお、実施の形態１では、作成ボタン３３０が選択された場合について説明する。編集ボタン３４０が選択された場合については、実施の形態２で説明する。
【００７５】
スクロールボタン３５０は、表示されるシーンアイコン３１０を変更するためのボタンである。つまり、スクロールボタン３５０は、シーンアイコン３１０の表示を切り替えるボタンである。例えば、シーン選択画面３００に表示可能な最大の数のシーンより多くのシーンが設定済みである場合、ユーザは、スクロールボタン３５０を選択することで、シーン選択画面３００に他のシーンのシーンアイコンを表示させて選択することができる。
【００７６】
スクロールボタン３５０は、ＧＵＩコンポーネントの一例であり、例えば、プッシュボタンである。なお、スクロールボタン３５０は、プッシュボタンではなく、スクロールバーなどでもよい。
【００７７】
図３に示す例では、シーン選択画面３００に８個のシーンアイコン３１０が表示されている。このとき、１０個のシーンが設定済みである場合は、入力部１１０がスクロールボタン３５０の押下を検出した場合に、表示制御部１３０は、残りの２個のシーンに対応するシーンアイコンを含むシーン選択画面３００を生成して表示させる。
【００７８】
具体的には、スクロールボタン３５０は、ページ切り替え用のボタンである。例えば、スクロールボタン３５０が選択された場合に、表示制御部１３０は、８個のシーンアイコンが表示された画面を、２個のシーンアイコンが表示された画面に変更する。
【００７９】
あるいは、スクロールボタン３５０が選択された場合に、表示制御部１３０は、１以上の所定数ずつシーンアイコンを入れ替えて表示させてもよい。例えば、表示制御部１３０は、右側のスクロールボタン３５０が選択された場合に、「パーティー」のシーンアイコンを削除し、残りの７つのシーンアイコンを寄せた後、他のシーンアイコンを表示させてもよい。
【００８０】
次に、照明情報管理部１５０に管理されている操作対象照明情報と、操作対象照明情報に基づいて生成されるシーン作成画面とについて、図４及び図５を用いて説明する。図４は、実施の形態１に係る操作対象照明情報の一例を示す図である。図５は、実施の形態１に係るシーン作成画面４００を示す図である。
【００８１】
操作対象照明情報は、携帯端末１００によって制御可能な１以上の照明機器を示す情報である。
【００８２】
図４に示すように、操作対象照明情報は、品番（型番）、照明機器名及び設定パラメータを含んでいる。１つの照明機器に対して、品番、照明機器名及び設定パラメータが対応付けられている。つまり、照明情報管理部１５０は、照明機器毎に、品番、照明機器名及び設定パラメータを対応付けて管理している。
【００８３】
品番（型番）は、照明機器の種別を示す情報である。具体的には、品番は、照明機器の消費電力、形状及び機能などに基づいて規定された識別符号である。
【００８４】
照明機器名は、照明機器を識別するためにユーザによって設定された名称である。図４に示すように、ユーザは、「リビングシーリングライト」、「ダイニングライト」などのユーザ自身にとって照明機器の設置位置などを判別しやすい名称を設定することができる。このため、シーンを設定する際に、どの照明機器を調整すればよいかが容易に判断できる。
【００８５】
設定パラメータは、照明機器の調整可能な機能を示す情報である。具体的には、設定パラメータは、調光機能及び調色機能などを示す情報である。図４に示すように、照明機器によって有する機能は異なっている。
【００８６】
操作対象照明情報は、予めユーザなどによって生成された情報である。また、操作対象照明情報に、新たな照明機器に関する情報を追加することもできる。
【００８７】
例えば、新たな照明機器を操作対象として登録する場合に、携帯端末１００は、ユーザに、登録しようとする照明機器の品番を入力させる。具体的には、携帯端末１００は、照明機器名を入力させるための画面を表示し、当該画面を介して入力されたテキストを照明機器名として取得する。
【００８８】
さらに、携帯端末１００は、入力された品番を所定のデータベースと照合することにより、対象となる照明機器の設定パラメータを取得することができる。なお、所定のデータベースは、複数の品番と設定パラメータとを対応付けたデータベースであり、例えば、携帯端末１００がネットワークを介して接続可能なサーバ、又は、携帯端末１００自身のメモリなどに保存されている。
【００８９】
以上のような操作対象照明情報に基づいて、シーン作成画面は生成される。具体的には、表示制御部１３０は、図４に示す操作対象照明情報に基づいて、図５に示すシーン作成画面４００を生成して表示部１２０に表示させる。
【００９０】
シーン作成画面４００は、シーン設定画面の一例であり、既存のシーンとは別に新たなシーンを新規作成するための画面である。シーン作成画面４００は、図３に示すシーン選択画面３００の作成ボタン３３０が選択された場合に表示される。
【００９１】
図５に示すように、シーン作成画面４００は、設定画面４１０と、完了ボタン４２０とを含んでいる。
【００９２】
設定画面４１０は、１以上の照明機器による新たな照明状態を示す新規シーンを設定するための画面である。具体的には、設定画面４１０は、新規シーンを新規作成するための画面である。
【００９３】
図５に示すように、設定画面４１０は、調光スライダ４１１ａと、調色スライダ４１１ｂと、照明機器名４１２と、スクロールボタン４１３とを含んでいる。例えば、設定画面４１０は、操作対象照明情報に登録されている１以上の照明機器のそれぞれに対して、照明機器名４１２と設定用のスライダとを含んでいる。設定用のスライダとしては、照明機器に対応する設定パラメータに応じて、例えば、調光スライダ４１１ａ及び調色スライダ４１１ｂの少なくとも１つが表示される。
【００９４】
調光スライダ４１１ａは、ＧＵＩコンポーネントの一例であり、調光機能の設定値（調光比）を設定するためのスライダである。つまり、ユーザは、調光スライダ４１１ａを操作することで、対応する照明機器から発せられる光の明るさを調整することができる。
【００９５】
例えば、調光スライダ４１１ａは、調光比を「０〜１００」の値で設定可能である。図５に示す例では、調光スライダ４１１ａを「明」に近づける程、調光比が「１００」に近づき、照明機器から発せられる光が明るくなる。また、調光スライダ４１１ａを「暗」に近づける程、調光比が「０」に近づき、照明機器から発せられる光が暗くなる。
【００９６】
なお、例えば、点灯機能及び消灯機能のみを有する照明機器の場合、対応する調光スライダ４１１ａは、調光比が「０」と「１００」との２値のみを取ることができる。
【００９７】
調色スライダ４１１ｂは、ＧＵＩコンポーネントの一例であり、調色機能の設定値（色温度）を設定するためのスライダである。つまり、ユーザは、調色スライダ４１１ｂを操作することで、対応する照明機器から発せられる光の色を調整することができる。
【００９８】
例えば、調色スライダ４１１ｂは、色温度を「２１００Ｋ〜５０００Ｋ」の値で設定可能である。図５に示す例では、調色スライダ４１１ｂを「暖」に近づける程、色温度が低くなり、照明機器から発せられる光は暖色系の色になる。また、調色スライダ４１１ｂを「寒」に近づける程、色温度が高くなり、照明機器から発せられる光は寒色系の色になる。
【００９９】
なお、調色機能を有さない照明機器の場合、調色スライダ４１１ｂは、表示されない。つまり、どの照明機器にどのスライダを表示させるかは、操作対象照明情報に基づいて決定される。
【０１００】
照明機器名４１２は、対応する調光スライダ４１１ａ及び調色スライダ４１１ｂの近傍に表示される。図５に示す例では、照明機器名４１２は、スライダの下方に表示されているが、左方、右方又は上方に表示されてもよい。また、照明機器名４１２は、スライダに重複して表示されてもよい。
【０１０１】
スクロールボタン４１３は、表示される照明機器のスライダを変更するためのボタンである。つまり、スクロールボタン４１３は、設定対象（操作対象）となる照明機器を変更するためのボタンである。言い換えると、スクロールボタン４１３は、照明機器の設定画面を切り替えるボタンである。例えば、設定画面４１０に表示可能な最大の数の照明機器より多くの照明機器が操作可能である場合、ユーザは、スクロールボタン４１３を選択することで、設定画面４１０に他の照明機器のスライダを表示させて選択することができる。
【０１０２】
スクロールボタン４１３は、ＧＵＩコンポーネントの一例であり、例えば、プッシュボタンである。なお、スクロールボタン４１３は、プッシュボタンではなく、スクロールバーなどでもよい。
【０１０３】
図５に示す例では、設定画面４１０に５個の照明機器名４１２と、対応するスライダ（調光スライダ４１１ａ及び調色スライダ４１１ｂ）とが表示されている。このとき、７個の照明機器が操作対象である場合は、入力部１１０がスクロールボタン４１３の押下を検出した場合に、表示制御部１３０は、残りの２個の照明機器に対応する照明機器名及びスライダを含む設定画面４１０を生成して表示させる。
【０１０４】
具体的には、スクロールボタン４１３は、ページ切り替え用のボタンである。例えば、スクロールボタン４１３が選択された場合に、表示制御部１３０は、５個の照明機器名４１２と、対応するスライダとが表示された画面を、２個の照明機器名４１２と、対応するスライダとが表示された画面に変更する。
【０１０５】
あるいは、スクロールボタン４１３が選択された場合に、表示制御部１３０は、１以上の所定数ずつ照明機器を入れ替えて表示させてもよい。例えば、表示制御部１３０は、右側のスクロールボタン４１３が選択された場合に、「リビングシーリングライト」の照明機器名及びスライダを削除し、残りの４つの照明機器名及びスライダを寄せた後、他の照明機器名及びスライダを表示させてもよい。
【０１０６】
完了ボタン４２０は、設定完了ボタンの一例であり、１以上の照明機器の設定を完了するためのボタンである。すなわち、完了ボタン４２０は、１以上の照明機器による照明状態の設定を完了するためのボタンであり、具体的には、調光比及び色温度の設定を完了するためのボタンである。
【０１０７】
完了ボタン４２０は、ＧＵＩコンポーネントの一例であり、例えば、プッシュボタンである。ユーザによって完了ボタン４２０が選択された場合、１以上の照明機器に対する調光及び調色の設定は完了する。例えば、入力部１１０が完了ボタン４２０の押下を検出した場合に、表示制御部１３０は、シーン名入力画面を生成し、表示部１２０に表示させる。
【０１０８】
なお、調光スライダ４１１ａ及び調色スライダ４１１ｂの代わりに、テキストボックスを表示してもよい。入力部１１０は、テキストボックスに入力された数値を調光比又は色温度として取得してもよい。
【０１０９】
あるいは、例えば、調光比の場合、「０」、「２０」、「４０」、「６０」、「８０」、「１００」などを選択肢とするラジオボタン、チェックボックス、ドロップダウンリスト、又は、リストボックスなどを表示してもよい。その他、各種ＧＵＩコンポーネントを調光及び調色の設定に利用することができる。
【０１１０】
なお、シーン作成画面４００が表示される際の各スライダの初期位置は、予め定められたデフォルト値に対応する位置でもよく、あるいは、現在の空間の照明状態を示す設定値に対応する位置でもよい。例えば、デフォルト値は、調光比が「０」、「５０」、「１００」などであり、色温度が「２１００Ｋ」、「３５００Ｋ」、「５０００Ｋ」などである。
【０１１１】
次に、表示制御部１３０が生成するシーン名入力画面について、図６を用いて説明する。図６は、実施の形態１に係るシーン名入力画面５００を示す図である。
【０１１２】
シーン名入力画面５００は、ユーザにシーン名を入力させるための画面である。シーン名入力画面５００は、１以上の照明機器の設定が完了した後に表示される。具体的には、シーン名入力画面５００は、図５に示すシーン作成画面４００の完了ボタン４２０が選択された場合に表示される。
【０１１３】
図６に示すように、シーン名入力画面５００は、コメント５１０と、テキストボックス５２０と、確認ボタン５３０と、キャンセルボタン５４０とを含んでいる。
【０１１４】
コメント５１０は、ユーザが行うべき操作を提示するためのテキストである。具体的には、コメント５１０は、ユーザにシーン名の入力を促すためのテキストである。例えば、図６に示すように、「シーン名を入力してください」というコメント５１０が表示される。なお、コメント５１０の代わりに、音声でユーザにシーン名の入力を促してもよい。
【０１１５】
テキストボックス５２０は、ＧＵＩコンポーネントの一例であり、ユーザがテキストを入力するためのインタフェースである。テキストボックス５２０には、ユーザによって入力されたテキストが表示される。例えば、ユーザが「エクササイズ」と入力した場合、図６に示すように、「エクササイズ」がテキストボックス５２０に表示される。
【０１１６】
具体的には、入力部１１０は、ユーザが入力したテキストを取得する。そして、表示制御部１３０は、入力部１１０によって取得されたテキストがテキストボックス５２０に表示されるようなシーン名入力画面５００を生成し、表示部１２０に表示させる。
【０１１７】
確認ボタン５３０は、ＧＵＩコンポーネントの一例であり、例えば、プッシュボタンである。確認ボタン５３０は、シーン名の入力が完了したことをユーザに確認させるためのボタンである。
【０１１８】
確認ボタン５３０が選択された場合、テキストボックス５２０に入力されたテキストがシーン名としてメモリに記憶される。具体的には、入力部１１０が確認ボタン５３０の押下を検出した場合、照明情報管理部１５０は、テキストボックス５２０に入力されたテキストをシーン名として管理する。
【０１１９】
キャンセルボタン５４０は、ＧＵＩコンポーネントの一例であり、例えば、プッシュボタンである。キャンセルボタン５４０は、シーン名の入力を中止することをユーザに確認させるためのボタンである。
【０１２０】
キャンセルボタン５４０が選択された場合、シーン名の入力処理は中止され、例えば、シーン作成画面４００が表示部１２０に表示され、照明機器の再設定を行うことができる。なお、キャンセルボタン５４０が選択された場合に、シーンの作成処理を中止してもよい。つまり、キャンセルボタン５４０が選択された場合、シーン選択画面３００が表示されてもよい。
【０１２１】
なお、シーン名入力画面５００は、完了ボタン４２０が選択された場合に表示される例について示したが、これに限らない。例えば、シーン名入力画面５００は、１以上の照明機器の設定が完了する前に表示されてもよい。具体的には、シーン名入力画面５００は、図３に示すシーン選択画面３００の作成ボタン３３０が選択された場合に、表示されてもよい。あるいは、シーン作成画面４００が表示される際に、テキストボックス５２０が同時に表示されてもよい。
【０１２２】
次に、表示制御部１３０が生成する撮影確認画面について、図７を用いて説明する。図７は、実施の形態１に係る撮影確認画面６００を示す図である。
【０１２３】
撮影確認画面６００は、ユーザにシーンアイコン用の画像を撮影するか否かを確認するための画面である。言い換えると、撮影確認画面６００は、撮像部１４０による撮像を行うか否かを確認するための画面である。
【０１２４】
撮影確認画面６００は、１以上の照明機器の設定が完了した後に表示される。例えば、撮影確認画面６００は、シーン作成画面４００の完了ボタン４２０が選択された後に表示される。具体的には、撮影確認画面６００は、シーン名入力画面５００の確認ボタン５３０が選択された場合に表示される。
【０１２５】
図７に示すように、撮影確認画面６００は、コメント６１０と、同意ボタン６２０と、不同意ボタン６３０とを含んでいる。
【０１２６】
コメント６１０は、ユーザが行うべき操作を提示するためのテキストである。具体的には、コメント６１０は、撮像部１４０による撮像を行うか否かをユーザに確認するためのテキストである。例えば、図７に示すように、「シーンのアイコンを撮影しますか？」というコメント６１０が表示される。なお、コメント６１０の代わりに、音声でユーザに撮影の確認を行ってもよい。
【０１２７】
同意ボタン６２０は、ＧＵＩコンポーネントの一例であり、例えば、プッシュボタンである。同意ボタン６２０は、撮像部１４０を起動させるための起動ボタンの一例であり、コメント６１０に対する同意を示すボタンである。
【０１２８】
同意ボタン６２０が選択された場合、撮像部１４０は起動される。具体的には、入力部１１０が同意ボタン６２０の押下を検出した場合に、撮像部１４０は、撮像が可能な状態になる。
【０１２９】
不同意ボタン６３０は、ＧＵＩコンポーネントの一例であり、例えば、プッシュボタンである。不同意ボタン６３０は、撮像部１４０を起動させないための不起動ボタンの一例であり、コメント６１０に対する不同意を示すボタンである。
【０１３０】
不同意ボタン６３０が選択された場合、撮像部１４０は起動されない。つまり、不同意ボタン６３０が選択された場合、撮像部１４０は起動されず、撮影画像の代わりにデフォルト画像がシーンアイコンとしてメモリに記憶される。具体的には、入力部１１０が不同意ボタン６３０の押下を検出した場合、照明情報管理部１５０は、予め定められたデフォルト画像をシーンアイコンとして管理する。
【０１３１】
なお、撮影確認画面６００は、シーン名入力画面５００の確認ボタン５３０が選択された場合に表示される例について示したが、これに限らない。例えば、撮影確認画面６００は、シーン作成画面４００の完了ボタン４２０が選択された時に表示されてもよい。
【０１３２】
次に、表示制御部１３０が生成する新規シーン選択画面について、図８を用いて説明する。図８は、実施の形態１に係る新規シーン選択画面７００を示す図である。
【０１３３】
新規シーン選択画面７００は、新規シーンの設定終了後に表示されるシーン選択画面である。具体的には、新規シーン選択画面７００は、既存のシーン選択画面に新規シーンのシーンアイコンが追加された画面である。
【０１３４】
新規シーン選択画面７００は、１以上のシーンアイコン３１０と、シーン名３２０と、新規シーンのシーンアイコン７１０と、新規シーンのシーン名７２０とを含んでいる。例えば、新規シーン選択画面７００は、撮像部１４０による撮像が終了された場合に表示される。
【０１３５】
シーンアイコン７１０は、既存のシーン選択画面（例えば、図３に示すシーン選択画面３００）に追加された新規シーンのシーンアイコンである。具体的には、シーンアイコン７１０は、撮像部１４０によって取得された画像である。例えば、シーンアイコン７１０は、新規シーンが示す照明状態で照明された空間を撮影することで取得された画像である。具体的には、シーンアイコン７１０は、図７に示す撮影確認画面６００の同意ボタン６２０が選択された場合に、撮像部１４０によって取得された画像である。
【０１３６】
シーン名７２０は、新規シーンのシーン名である。具体的には、シーン名７２０は、図６に示すシーン名入力画面５００のテキストボックス５２０に入力されたテキストである。
【０１３７】
なお、新規シーン選択画面７００では、新規シーンのシーンアイコン７１０が選択された状態で表示される。具体的には、図８に示すように、新規シーンのシーンアイコン７１０は、枠３６０で囲まれている。このとき、１以上の照明機器は、新規シーンが示す照明状態で空間を照明している。
【０１３８】
ここで、表示制御部１３０が生成する新規シーン選択画面の別の一例について、図９を用いて説明する。図９は、実施の形態１に係る新規シーン選択画面７００ａを示す図である。
【０１３９】
新規シーン選択画面７００ａは、新規シーンの設定終了後に表示されるシーン選択画面である。具体的には、新規シーン選択画面７００ａは、既存のシーン選択画面に新規シーンのシーンアイコンが追加された画面である。
【０１４０】
新規シーン選択画面７００ａは、新規シーンのシーンアイコン７１０ａ及びシーン名７２０を含んでいる。例えば、新規シーン選択画面７００ａは、図７に示す撮影確認画面６００の不同意ボタン６３０が選択された場合に表示される。
【０１４１】
シーンアイコン７１０ａは、既存のシーン選択画面（例えば、図３に示すシーン選択画面３００）に追加された新規シーンのシーンアイコンである。具体的には、シーンアイコン７１０ａは、デフォルト画像である。
【０１４２】
このように、撮像部１４０による撮影が行われなかった場合には、新規シーンのシーンアイコン７１０ａとしてデフォルト画像が表示される。
【０１４３】
なお、新規シーン選択画面７００ａでは、新規シーンのシーンアイコン７１０ａが選択された状態で表示される。具体的には、図９に示すように、新規シーンのシーンアイコン７１０ａは、枠３６０で囲まれている。このとき、１以上の照明機器は、新規シーンが示す照明状態で空間を照明している。
【０１４４】
続いて、実施の形態１に係るシーンの作成方法について、図１０Ａ、図１０Ｂ及び図１１を用いて説明する。図１０Ａ及び図１０Ｂは、実施の形態１に係るシーンの作成方法の一例を示すフローチャートである。図１１は、実施の形態１に係るシーンの作成方法において表示される画面遷移の一例を示す図である。
【０１４５】
例えば、本実施の形態に係る携帯端末１００の制御方法は、１以上の照明機器を制御するためのアプリケーションソフトウェアなどによって実現される。例えば、当該アプリケーションソフトウェアが起動されることによって、実施の形態１に係るシーン作成方法が開始される。
【０１４６】
まず、表示制御部１３０は、シーン情報を取得する（Ｓ１００）。具体的には、表示制御部１３０は、照明情報管理部１５０に記憶されているシーン情報を読み出して取得する。シーン情報は、例えば、図２に示すような、既に作成済みの１以上のシーンを示す情報である。
【０１４７】
次に、表示制御部１３０は、取得したシーン情報に基づいてシーン選択画面３００を生成し、生成したシーン選択画面３００を表示部１２０に表示させる（Ｓ１０２）。これにより、表示部１２０には、図１１の（ａ）に示すようにシーン選択画面３００が表示される。シーン選択画面３００の詳細は、図３を用いて説明した通りである。
【０１４８】
次に、シーン作成ボタン（作成ボタン３３０）が選択された場合（Ｓ１０４でＹｅｓ）、表示制御部１３０は、操作対象照明情報を取得する（Ｓ１０６）。具体的には、表示制御部１３０は、入力部１１０が作成ボタン３３０の押下を検出した場合、照明情報管理部１５０に記憶されている操作対象照明情報を読み出して取得する。操作対象照明情報は、例えば、図４に示すように、既に登録済みの１以上の照明機器を示す情報である。
【０１４９】
次に、表示制御部１３０は、取得した操作対象照明情報に基づいてシーン作成画面４００を生成し、生成したシーン作成画面４００を表示部１２０に表示させる（Ｓ１０８）。これにより、表示部１２０には、図１１の（ｂ）に示すようにシーン作成画面４００が表示される。シーン作成画面４００の詳細は、図５を用いて説明した通りである。
【０１５０】
なお、シーン作成ボタン（作成ボタン３３０）が選択されない場合（Ｓ１０４でＮｏ）、表示制御部１３０は、作成ボタン３３０が選択されるまで待機する。このとき、１以上のシーンアイコン３１０のいずれか１つが選択された場合は、表示制御部１３０は、選択されたシーンアイコンを囲むように所定の枠３６０を付与して表示させる。また、照明制御部１６０は、選択されたシーンアイコン３１０に対応するシーンが示す照明状態で空間を照明するように１以上の照明機器を制御するための制御信号を生成する。そして、照明制御部１６０は、生成した制御信号を、通信部１７０及びネットワークを介して１以上の照明機器に送信する。これにより、選択されたシーンが示す照明状態で空間を照明することができる。
【０１５１】
次に、表示制御部１３０及び照明制御部１６０は、ユーザによって入力された照明機器の設定情報を取得する（Ｓ１１０）。図１１の（ｂ）に示すようにシーン作成画面４００が表示されることで、ユーザは、１以上の照明機器のそれぞれの調光機能又は調色機能の設定値を設定することができる。表示制御部１３０及び照明制御部１６０は、例えば、ユーザによって操作された調光スライダ４１１ａ又は調色スライダ４１１ｂが示す設定値を、入力部１１０を介して取得する。
【０１５２】
そして、表示制御部１３０は、入力部１１０を介して取得した設定値に応じてシーン作成画面４００を生成し、生成したシーン作成画面４００を表示部１２０に表示させる。つまり、表示制御部１３０は、ユーザによる操作に同期させて、逐次、シーン作成画面４００を生成して表示部１２０に表示させる。具体的には、ユーザがスライダを操作した場合は、ユーザ操作に応じてシーン作成画面４００のスライダの表示が変更される。このようにして、表示部１２０には、図１１の（ｃ）に示すように変更後のシーン作成画面４００が表示される。
【０１５３】
また、照明制御部１６０は、ユーザによる設定画面の操作によって設定された照明状態が示す設定情報に基づいて、１以上の照明機器を制御するための制御信号を生成する（Ｓ１１２）。そして、照明制御部１６０は、生成した制御信号を、通信部１７０及びネットワークを介して１以上の照明機器に送信する。これにより、ユーザによる操作に同期させて、逐次、１以上の照明機器による照明状態が変化する。
【０１５４】
例えば、ユーザが１以上の照明機器のうち、「リビングシーリングライト」の調光スライダ４１１ａを操作した場合、実際の「リビングシーリングライト」の明るさが、ユーザの操作に応じて変化する。例えば、「リビングシーリングライト」の調光比が１００になるように、ユーザが調光スライダ４１１ａを操作した場合、「リビングシーリングライト」は、最大の明るさで空間を照明する。
【０１５５】
シーン作成完了ボタン（完了ボタン４２０）が選択されるまで（Ｓ１１４でＮｏ）、ユーザ操作による設定情報の取得（Ｓ１１０）と照明機器の制御（Ｓ１１２）とを繰り返す。
【０１５６】
このように、設定画面４１０におけるユーザの操作に同期して、１以上の照明機器の照明状態を変更する。したがって、ユーザは、照明状態の雰囲気を実際に確認しながら携帯端末１００を操作することで、所望のシーンを作成することができる。
【０１５７】
シーン作成完了ボタン（完了ボタン４２０）が選択された場合（Ｓ１１４でＹｅｓ）、表示制御部１３０は、シーン名入力画面５００を生成し、生成したシーン名入力画面５００を表示部１２０に表示させる（Ｓ１１６）。具体的には、入力部１１０が完了ボタン４２０の押下を検出した場合に、表示制御部１３０は、シーン名入力画面５００を生成する。これにより、表示部１２０には、図１１の（ｄ）に示すようにシーン名入力画面５００が表示される。シーン名入力画面５００の詳細は、図６を用いて説明した通りである。
【０１５８】
このとき、シーン名入力画面５００が表示された時点では、テキストボックス５２０には何も入力されていない。つまり、空欄のテキストボックス５２０が表示される。ユーザは、所望のシーン名をテキストボックス５２０に入力する。
【０１５９】
入力部１１０は、テキストボックス５２０に入力されたテキスト（シーン名）を取得する。そして、表示制御部１３０は、入力部１１０によって取得されたテキストをテキストボックス５２０に表示する（Ｓ１１８）。これにより、表示部１２０には、図１１の（ｅ）に示すように、ユーザが入力したテキストが表示されたテキストボックス５２０を含むシーン名入力画面５００が表示される。
【０１６０】
シーン名入力完了ボタンが選択された場合（Ｓ１２０でＹｅｓ）、表示制御部１３０は、シーンアイコンの撮影確認画面６００を生成し、生成した撮影確認画面６００を表示部１２０に表示させる（Ｓ１２２）。具体的には、入力部１１０が確認ボタン５３０の押下を検出した場合に、表示制御部１３０は、撮影確認画面６００を生成する。これにより、表示部１２０には、図１１の（ｆ）に示すように撮影確認画面６００が表示される。なお、このとき、照明情報管理部１５０は、確認ボタン５３０が選択された時点でテキストボックス５２０に入力されていたテキストを、新規シーンのシーン名として管理する。
【０１６１】
なお、シーン名入力完了ボタン（確認ボタン５３０）が選択されない場合（Ｓ１２０でＮｏ）、表示制御部１３０は、確認ボタン５３０が選択されるまで待機する。
【０１６２】
次に、表示制御部１３０は、撮影確認画面６００でいずれかのボタンが選択されるまで待機する（Ｓ１２４でＮｏ）。具体的には、入力部１１０が同意ボタン６２０及び不同意ボタン６３０のいずれかの押下を検出するまで、表示制御部１３０は、撮影確認画面６００を表示部１２０に表示させておく。
【０１６３】
いずれかのボタンが選択された場合（Ｓ１２４でＹｅｓ）、選択されたボタンが撮影ボタン（同意ボタン６２０）であれば（Ｓ１２６でＹｅｓ）、撮像部１４０が起動される（Ｓ１２８）。具体的には、入力部１１０が同意ボタン６２０の押下を検出した場合、表示制御部１３０は、撮像部１４０を起動する。
【０１６４】
撮像部１４０が起動されることで、図１１の（ｇ）に示すように、表示部１２０には、撮像部１４０のイメージセンサで取得された画像（ライブビュー画像）が表示される。ユーザは、表示部１２０に表示される画像を見ながら、シャッターボタンを押下することができる。撮像部１４０は、シャッターボタンが押下されたときに、撮影画像を取得する。
【０１６５】
撮像部１４０が起動された時点では、空間は、完了ボタン４２０が選択された時点での照明機器の設定情報に基づいた照明状態で照明されている。すなわち、空間は、ユーザが作成した新規シーンが示す照明状態で照明されている。したがって、空間を撮影することで、ユーザが作成した新規シーンの雰囲気を撮影画像として保存することができる。つまり、ユーザは、撮影画像を目視することで、新規シーンの雰囲気を確認することができる。
【０１６６】
撮影画像が取得された場合（Ｓ１３０でＹｅｓ）、表示制御部１３０は、取得された撮影画像をシーンアイコンとして設定する（Ｓ１３２）。なお、撮影画像が取得されるまで（Ｓ１３０でＮｏ）、撮像部１４０は、撮像が可能な状態に保たれる。
【０１６７】
また、撮影確認画面６００で、選択されたボタンが不同意ボタン６３０である場合（Ｓ１２６でＮｏ）、表示制御部１３０は、デフォルト画像をシーンアイコンとして設定する（Ｓ１３４）。
【０１６８】
そして、照明情報管理部１５０は、１以上の照明機器の設定情報と、シーン名と、シーンアイコンとを対応付けて、新規シーンとして記憶する（Ｓ１３６）。つまり、撮像部１４０によって撮影画像が取得された場合には、取得された撮影画像がシーンアイコンとして管理され、撮像部１４０によって撮影画像が取得されなかった場合には、デフォルト画像がシーンアイコンとして管理される。
【０１６９】
最後に、表示制御部１３０は、作成された新規シーンが選択された状態で、新規シーン選択画面７００又は７００ａを生成し、生成した新規シーン選択画面７００又は７００ａを表示部１２０に表示させる（Ｓ１３８）。これにより、撮影画像が取得された場合には、表示部１２０には、図１１の（ｈ）に示すように新規シーン選択画面７００が表示される。また、撮影画像が取得されなかった場合には、表示部１２０には、図１１の（ｉ）に示すように新規シーン選択画面７００ａが表示される。
【０１７０】
なお、新規シーン選択画面７００又は７００ａが表示された後は、作成ボタン３３０の押下を検出する処理（Ｓ１０４）以降の処理が繰り返される。
【０１７１】
以上のように、本実施の形態に係る携帯端末１００の制御方法によれば、新規シーンを作成する際に、１以上の照明機器の設定が完了した後で、当該設定に基づいて１以上の照明機器によって照明される空間を撮影し、撮影によって取得された画像を新規シーンのシーンアイコンとして設定する。つまり、新規シーンの雰囲気を示す画像がシーンアイコンとして設定される。
【０１７２】
そして、シーン選択画面では、新規シーンの雰囲気を示す画像がシーンアイコンとして表示されるので、ユーザは、シーンアイコンを目視するだけで、シーンの雰囲気を容易に確認することができる。つまり、シーンアイコンが実際のシーンを撮影した画像であるから、ユーザは、視覚的にシーンの雰囲気を容易に確認することができる。
【０１７３】
（実施の形態２）
続いて、実施の形態２に係る携帯端末１００の制御方法について説明する。具体的には、シーンの編集方法について説明する。つまり、実施の形態２では、既存のシーンを編集することで、新規シーンを設定する方法について説明する。例えば、実施の形態２では、図３に示すシーン選択画面３００の編集ボタン３４０が選択された場合について説明する。
【０１７４】
なお、実施の形態２に係る照明システム１０、携帯端末１００及び１以上の照明機器（第１照明機器２００及び第２照明機器２０１）の構成については、図１と同様であるので、説明を省略する場合がある。
【０１７５】
まず、表示制御部１３０が生成するシーン編集画面について、図１２を用いて説明する。図１２は、実施の形態２に係るシーン編集画面８００を示す図である。
【０１７６】
シーン編集画面８００は、シーン設定画面の一例であり、既存のシーンを編集することで新規シーンを設定するための画面である。シーン編集画面８００は、図３に示すシーン選択画面３００において、１つのシーンアイコン３１０が選択された状態で、編集ボタン３４０が選択された場合に表示される。
【０１７７】
図１２に示すように、シーン編集画面８００は、設定画面８１０と、完了ボタン４２０と、削除ボタン８３０と、シーン名８４０とを含んでいる。
【０１７８】
設定画面８１０は、選択されたシーンに対応するシーンを編集することで、１以上の照明機器による新たな照明状態を示す新規シーンを設定するための画面である。具体的には、設定画面８１０は、既存のシーンを編集することで、新規シーンを設定するための画面である。図１２に示すように、設定画面８１０は、調光スライダ８１１ａと、調色スライダ８１１ｂと、照明機器名４１２とを含んでいる。
【０１７９】
調光スライダ８１１ａ及び調色スライダ８１１ｂはそれぞれ、図５に示す調光スライダ４１１ａ及び調色スライダ４１１ｂと比較して、シーン編集画面８００が表示された時点での初期位置が異なっている。その他の点については、調光スライダ８１１ａ及び調色スライダ８１１ｂはそれぞれ、調光スライダ４１１ａ及び調色スライダ４１１ｂと同じである。
【０１８０】
調光スライダ８１１ａ及び調色スライダ８１１ｂの初期位置は、選択されたシーンに対応する設定情報に基づいて決定される。つまり、ユーザによる操作前における設定画面８１０に設定された照明状態は、選択されたシーンアイコンに対応するシーンが示す照明状態である。
【０１８１】
例えば、図１２に示すように「食事」のシーンが選択された場合に、調光スライダ８１１ａ及び調色スライダ８１１ｂの初期位置は、図２に示すシーン情報を用いて、「食事」のシーンに対応する照明機器の設定情報に基づいて決定される。具体的には、「リビングシーリングライト」の調光比の初期値は「３０」であり、色温度の初期値は「３５００Ｋ」であるため、調光スライダ８１１ａ及び調色スライダ８１１ｂはそれぞれ、「３０」及び「３５００Ｋ」に相当する位置を初期位置として表示される。
【０１８２】
削除ボタン８３０は、選択されたシーンを削除するためのボタンである。削除ボタン８３０は、ＧＵＩコンポーネントの一例であり、例えば、プッシュボタンである。ユーザによって削除ボタン８３０が選択された場合、選択されたシーンに対応するシーン名、シーンアイコン及び設定情報がシーン情報から削除される。
【０１８３】
シーン名８４０は、編集対象となっているシーンを示す情報である。例えば、シーン名８４０は、図３に示すシーン選択画面３００において選択されたシーンアイコン３１０に対応するシーン名３２０に対応する。シーン名８４０が表示されることにより、ユーザは、現在編集中のシーンが何のシーンであるかを確認することができる。
【０１８４】
続いて、実施の形態２に係るシーンの編集方法について、図１３Ａ、図１３Ｂ及び図１４を用いて説明する。図１３Ａ及び図１３Ｂは、実施の形態２に係るシーンの編集方法の一例を示すフローチャートである。図１４は、実施の形態２に係るシーンの編集方法において表示される画面遷移の一例を示す図である。なお、図１３Ａ及び図１３Ｂにおいて、実施の形態１に係るシーンの作成方法と同じ処理には、同じ符号を付しており、説明を省略する場合がある。
【０１８５】
まず、表示制御部１３０は、シーン情報を取得する（Ｓ１００）。そして、表示制御部１３０は、取得したシーン情報に基づいてシーン選択画面３００を生成し、生成したシーン選択画面３００を表示部１２０に表示させる（Ｓ１０２）。これにより、表示部１２０には、図１４の（ａ）に示すようにシーン選択画面３００が表示される。シーン選択画面３００の詳細は、図３を用いて説明した通りである。
【０１８６】
次に、表示制御部１３０は、シーンアイコン３１０が選択されるまで待機する（Ｓ２０３でＮｏ）。１以上のシーンアイコン３１０のいずれか１つが選択された場合（Ｓ２０３でＹｅｓ）、照明制御部１６０は、選択されたシーンに対応する１以上の照明機器の設定情報に基づいて制御信号を生成し、生成した制御信号を１以上の照明機器に送信する（Ｓ２０４）。つまり、照明制御部１６０は、選択されたシーンアイコン３１０に対応するシーンが示す照明状態で空間を照明するための制御信号を生成する。そして、照明制御部１６０は、生成した制御信号を、通信部１７０及びネットワークを介して１以上の照明機器に送信する。これにより、選択されたシーンが示す照明状態で空間を照明することができる。
【０１８７】
次に、シーン編集ボタン（編集ボタン３４０）が選択された場合（Ｓ２０５でＹｅｓ）、表示制御部１３０は、操作対象照明情報を取得する（Ｓ１０６）。具体的には、表示制御部１３０は、入力部１１０が編集ボタン３４０の押下を検出した場合、照明情報管理部１５０に記憶されている操作対象照明情報を読み出して取得する。
【０１８８】
次に、表示制御部１３０は、選択されたシーンに対応する照明機器の設定情報と、シーン名と、シーンアイコンとを取得する（Ｓ２０７）。具体的には、表示制御部１３０は、選択されたシーンに対応する照明機器の設定情報と、シーン名と、シーンアイコンとを、照明情報管理部１５０から読み出して取得する。
【０１８９】
次に、表示制御部１３０は、取得した操作対象照明情報に基づいてシーン編集画面８００を生成し、生成したシーン編集画面８００を表示部１２０に表示させる（Ｓ２０８）。これにより、表示部１２０には、図１４の（ｂ）に示すようにシーン編集画面８００が表示される。シーン編集画面８００の詳細は、図１２を用いて説明した通りである。
【０１９０】
このとき、表示制御部１３０は、シーン編集画面８００に含まれる各スライダの初期位置を、選択されたシーンに対応する照明機器の設定情報に基づいて決定する。つまり、図１４の（ｂ）に示すように、シーン編集画面８００が表示された時点では、「食事」のシーンに対応する照明機器の設定情報に基づいて決定された位置を初期位置としたスライダが表示される。
【０１９１】
なお、シーン編集ボタン（編集ボタン３４０）が選択されない場合（Ｓ２０５でＮｏ）、表示制御部１３０は、編集ボタン３４０が選択されるまで待機する。このとき、表示制御部１３０は、選択された別のシーンアイコンを囲むように所定の枠３６０を付与して表示させる。また、別のシーンアイコン３１０が選択された場合は、照明制御部１６０は、選択されたシーンアイコン３１０に対応するシーンが示す照明状態で空間を照明するための制御信号を生成する。そして、照明制御部１６０は、生成した制御信号を、通信部１７０及びネットワークを介して１以上の照明機器に送信する。これにより、選択されたシーンが示す照明状態で空間を照明することができる。
【０１９２】
次に、表示制御部１３０及び照明制御部１６０は、ユーザによって入力された照明機器の設定情報を取得する（Ｓ２１０）。図１４の（ｂ）に示すようにシーン編集画面８００が表示されることで、ユーザは、１以上の照明機器のそれぞれの調光機能又は調色機能の設定値を設定することができる。表示制御部１３０及び照明制御部１６０は、例えば、ユーザによって操作された調光スライダ８１１ａ又は調色スライダ８１１ｂが示す設定値を、入力部１１０を介して取得する。
【０１９３】
そして、表示制御部１３０は、入力部１１０を介して取得した設定値に応じてシーン編集画面８００を生成し、生成したシーン編集画面８００を表示部１２０に表示させる。つまり、表示制御部１３０は、ユーザによる操作に同期させて、逐次、シーン編集画面８００を生成して表示部１２０に表示させる。具体的には、ユーザがスライダを操作した場合は、ユーザ操作に応じてシーン編集画面８００のスライダの表示が変更される。このようにして、表示部１２０には、図１４の（ｃ）に示すように変更後のシーン編集画面８００が表示される。
【０１９４】
また、照明制御部１６０は、ユーザによる設定画面の操作によって設定された照明状態を示す設定情報に基づいて、１以上の照明機器を制御するための制御信号を生成する（Ｓ１１２）。そして、照明制御部１６０は、生成した制御信号を、通信部１７０及びネットワークを介して１以上の照明機器に送信する。これにより、ユーザによる操作に同期させて、逐次、１以上の照明機器による照明状態が変化する。
【０１９５】
シーン編集完了ボタン（完了ボタン４２０）が選択されるまで（Ｓ２１４でＮｏ）、ユーザ操作による設定情報の取得（Ｓ２１０）と照明機器の制御（Ｓ１１２）とを繰り返す。
【０１９６】
このように、設定画面８１０におけるユーザの操作に同期して、１以上の照明機器の照明状態を変更する。したがって、ユーザは、照明状態の雰囲気を実際に確認しながら携帯端末１００を操作することで、所望のシーンを設定することができる。
【０１９７】
シーン編集完了ボタン（完了ボタン４２０）が選択された場合（Ｓ２１４でＹｅｓ）、表示制御部１３０は、シーン名入力画面５００を生成し、生成したシーン名入力画面５００を表示部１２０に表示させる（Ｓ２１６）。具体的には、入力部１１０が完了ボタン４２０の押下を検出した場合に、表示制御部１３０は、シーン名入力画面５００を生成する。これにより、表示部１２０には、図１４の（ｄ）に示すようにシーン名入力画面５００が表示される。シーン名入力画面５００の詳細は、図６を用いて説明した通りである。
【０１９８】
このとき、シーン名入力画面５００が表示された時点では、テキストボックス５２０には、選択されたシーンアイコン３１０に対応するシーン名が表示されている。具体的には、図１４の（ｄ）に示すように、テキストボックス５２０には「食事」が表示されている。ユーザは、表示されているシーン名をそのまま利用することができる。あるいは、表示されているシーン名を削除した上で、所望のシーン名をテキストボックス５２０に入力することができる。
【０１９９】
入力部１１０は、テキストボックス５２０に入力されたテキストを取得する。そして、表示制御部１３０は、入力部１１０によって取得されたテキストをテキストボックス５２０に表示する（Ｓ１１８）。これにより、表示部１２０には、図１４の（ｅ）に示すように、ユーザが入力したテキストが表示されたテキストボックス５２０を含むシーン名入力画面５００が表示される。なお、図１４では、シーン名を「食事」から「夕食」に変更する場合について示している。
【０２００】
以降、シーン名入力画面５００の確認ボタン５３０の検出処理（Ｓ１２０）から撮影画像をシーンアイコンとして設定する処理（Ｓ１３２）までは、図１０Ｂに示すシーン作成方法と同じである。
【０２０１】
具体的には、確認ボタン５３０が選択された場合には、図１４の（ｆ）に示すように、撮影確認画面６００が表示される。さらに、撮影確認画面６００の同意ボタン６２０が選択された場合には、撮像部１４０が起動されて、図１４の（ｇ）に示すように、表示部１２０には、撮像部１４０のイメージセンサで取得された画像（ライブビュー画像）が表示される。ユーザがシャッターボタンを押下することで、撮像部１４０は、撮影画像を取得する。
【０２０２】
一方で、撮影確認画面６００において選択されたボタンが不同意ボタン６３０である場合（Ｓ１２６でＮｏ）、表示制御部１３０は、選択されたシーン、すなわち、編集中のシーンに対応するシーンアイコンをそのまま編集後のシーンのシーンアイコンとして設定する（Ｓ２３４）。なお、このとき、表示制御部１３０は、デフォルト画像をシーンアイコンとして設定してもよい。
【０２０３】
そして、照明情報管理部１５０は、１以上の照明機器の設定情報と、シーン名と、シーンアイコンとを対応付けて、編集後のシーンとしてメモリに記憶する（Ｓ２３６）。つまり、撮像部１４０によって撮影画像が取得された場合には、取得された撮影画像がシーンアイコンとして管理され、撮像部１４０によって撮影画像が取得されなかった場合には、編集前のシーンアイコン又はデフォルト画像がシーンアイコンとして管理される。
【０２０４】
最後に、表示制御部１３０は、編集後のシーン、すなわち、新規シーンが選択された状態で、新規シーン選択画面７００ｂを生成し、生成した新規シーン選択画面７００ｂを表示部１２０に表示させる（Ｓ２３８）。このように、表示制御部１３０は、１以上のシーンアイコン３１０のうち選択されたシーンアイコン（編集対象のシーンアイコン）の代わりに、新規シーンのシーンアイコンを含む新規シーン選択画面７００ｂを表示部１２０に表示させる。これにより、表示部１２０には、図１４の（ｈ）に示すような新規シーン選択画面７００ｂが表示される。
【０２０５】
なお、新規シーン選択画面が表示された後は、シーンアイコンの押下を検出する処理（Ｓ２０３）以降の処理が繰り返される。
【０２０６】
以上のように、本実施の形態に係る携帯端末１００の制御方法によれば、既存のシーンを編集することで新規シーンを設定する際に、１以上の照明機器の設定が完了した後で、当該設定に基づいて１以上の照明機器によって照明される空間を撮影し、撮影によって取得された画像を新規シーンのシーンアイコンとして設定する。つまり、新規シーンの雰囲気を示す画像がシーンアイコンとして設定される。
【０２０７】
そして、シーン選択画面では、新規シーンの雰囲気を示す画像がシーンアイコンとして表示されるので、ユーザは、シーンアイコンを目視するだけで、シーンの雰囲気を容易に確認することができる。つまり、シーンアイコンが実際のシーンを撮影した画像であるから、ユーザは、視覚的にシーンの雰囲気を容易に確認することができる。
【０２０８】
なお、本実施の形態では、既存のシーンを編集することで新規シーンを設定する例について説明した。このとき、既存のシーンは新規シーンによって上書きされてしまうが、新規シーンを既存のシーンとは別に保存してもよい。すなわち、既存のシーンと新規シーンとの両方をシーン情報に含めてもよい。言い換えると、表示制御部１３０は、１以上のシーンアイコン３１０とともに、新規シーンのシーンアイコンを含む新規シーン選択画面を、表示部１２０に表示させてもよい。
【０２０９】
例えば、表示制御部１３０は、図１５に示す保存確認画面９００を生成し、生成した保存確認画面９００を表示部１２０に表示させる。ここで、図１５は、実施の形態２の変形例に係る保存確認画面９００を示す図である。
【０２１０】
保存確認画面９００は、新規シーンを保存する方法をユーザに選択させるための画面である。具体的には、保存確認画面９００は、新規シーンを既存のシーンに上書き保存するか否かをユーザに確認するための画面である。図１５に示すように、保存確認画面９００は、コメント９１０と、同意ボタン９２０と、不同意ボタン９３０とを含んでいる。
【０２１１】
コメント９１０は、ユーザが行うべき操作を提示するためのテキストである。具体的には、コメント９１０は、新規シーンを既存のシーン（編集対象のシーン）に上書き保存するか否かをユーザに確認するためのテキストである。例えば、図１５に示すように、「上書き保存しますか？」というコメント９１０が表示される。なお、コメント９１０の代わりに、音声でユーザに保存の確認を行ってもよい。
【０２１２】
同意ボタン９２０は、ＧＵＩコンポーネントの一例であり、例えば、プッシュボタンである。同意ボタン９２０は、新規シーンを既存のシーンに上書き保存するためのボタンであり、コメント９１０に対する同意を示すボタンである。
【０２１３】
不同意ボタン９３０は、ＧＵＩコンポーネントの一例であり、例えば、プッシュボタンである。不同意ボタン９３０は、新規シーンを新規保存するためのボタンであり、コメント９１０に対する不同意を示すボタンである。
【０２１４】
ここで、図１５に示す保存確認画面９００を表示させる処理について、図１６を用いて説明する。図１６は、実施の形態２の変形例に係る新規シーンの保存処理の一例を示すフローチャートである。具体的には、図１６は、図１３Ｂに示す保存処理（Ｓ２３６）の詳細を示している。
【０２１５】
図１６に示すように、撮影画像をシーンアイコンとして設定した後（Ｓ１３２）、表示制御部１３０は、保存確認画面９００を生成して、表示部１２０に表示させる（Ｓ２３６１）。
【０２１６】
上書き保存が選択された場合（Ｓ２３６２でＹｅｓ）、新規シーンは編集対象のシーンに上書きされ、編集後のシーンとして保存される（Ｓ２３６３）。具体的には、入力部１１０が同意ボタン９２０の押下を検出した場合に、照明情報管理部１５０は、編集対象のシーンの１以上の照明機器の設定情報、シーン名及びシーンアイコンの代わりに、新規シーンの１以上の照明機器の設定情報、シーン名及びシーンアイコンを記憶する。したがって、シーンの編集前と編集後とでは、シーン情報に含まれるシーンの数は同じである。
【０２１７】
新規保存が選択された場合（Ｓ２３６２でＮｏ）、新規シーンは編集対象のシーンとは別に編集後のシーンとして保存される（Ｓ２３６４）。具体的には、入力部１１０が不同意ボタン９３０の押下を検出した場合に、照明情報管理部１５０は、新規シーンの１以上の照明機器の設定情報、シーン名及びシーンアイコンを新たに記憶する。したがって、シーンの編集前と編集後とでは、シーン情報に含まれるシーンの数が１つ増加する。
【０２１８】
以上のように、既存のシーンを編集することで新規シーンを設定する場合に、新規シーンを上書き保存するか否かをユーザに選択させてもよい。言い換えると、既存のシーンを残しておくか否かをユーザに選択させてもよい。これにより、例えば、既存のシーンを少しだけ編集したシーンを、既存のシーンとは別に保存しておくことができる。
【０２１９】
（他の実施の形態）
以上、１つ又は複数の態様に係る携帯端末の制御方法について、各実施の形態に基づいて説明したが、本発明は、各実施の形態に限定されるものではない。本発明の趣旨を逸脱しない限り、当業者が思いつく各種変形を各実施の形態に施した形態、及び、異なる実施の形態における構成要素を組み合わせて構築される形態も、１つ又は複数の態様の範囲内に含まれてもよい。
【０２２０】
例えば、上記の各実施の形態では、撮影確認画面６００を表示部１２０に表示させ、同意ボタン６２０が選択された場合に、表示制御部１３０が撮像部１４０を起動する例について説明したが、これに限らない。例えば、表示制御部１３０は、撮影確認画面６００を表示部１２０に表示させることなく、撮像部１４０を起動してもよい。
【０２２１】
言い換えると、シーン設定画面の設定完了ボタンが選択された場合に、表示制御部１３０は、撮像部１４０を起動させてもよい。具体的には、シーン作成画面４００又はシーン編集画面８００の完了ボタン４２０が選択された場合に、表示制御部１３０は、撮像部１４０を起動してもよい。
【０２２２】
例えば、図１０Ａ及び図１０Ｂに示す例では、完了ボタン４２０が選択され、かつ、シーン名入力画面５００の確認ボタン５３０が選択された場合に、撮像部１４０を起動させる。具体的には、入力部１１０が確認ボタン５３０の押下を検出した場合に、表示制御部１３０は、直ちに撮像部１４０を起動する。言い換えると、表示制御部１３０は、入力部１１０が確認ボタン５３０の押下を検出した場合に、他の画面を表示させることなく、撮像部１４０を起動する。ここで、他の画面は、例えば、ユーザからの入力を受け付けるＧＵＩコンポーネントを含む画面である。
【０２２３】
なお、表示制御部１３０は、シーン作成画面４００又はシーン編集画面８００の完了ボタン４２０が選択された場合に、直ちに撮像部１４０を起動してもよい。具体的には、入力部１１０が完了ボタン４２０の押下を検出した場合に、表示制御部１３０は、シーン名入力画面５００などの他の画面を表示させることなく、撮像部１４０を起動してもよい。
【０２２４】
これにより、新規シーンの設定を行う場合には必ず撮像部１４０が起動されて、シーンアイコンを撮影することができる。したがって、シーン選択画面で表示されるシーンアイコンは必ず撮影画像になるので、シーンの雰囲気を容易に確認することができる。
【０２２５】
また、上記の各実施の形態では、撮影画像が取得されない場合に、予め定められたデフォルト画像をシーンアイコンとして設定する例について説明したが、これに限らない。例えば、撮影画像が取得されない場合に、複数のデフォルト画像から１つのデフォルト画像を選択し、選択したデフォルト画像をシーンアイコンとして設定してもよい。
【０２２６】
例えば、表示制御部１３０は、図１７に示すデフォルト画像選択画面１０００を生成し、生成したデフォルト画像選択画面１０００を表示部１２０に表示させる。ここで、図１７は、実施の形態の変形例に係るデフォルト画像選択画面１０００を示す図である。
【０２２７】
デフォルト画像選択画面１０００は、予め定められた複数のデフォルト画像の中からユーザに１つのデフォルト画像を選択させるための画面である。図１７に示すように、デフォルト画像選択画面１０００は、コメント１０１０と、複数のデフォルト画像１０２０を含んでいる。
【０２２８】
コメント１０１０は、ユーザが行うべき操作を提示するためのテキストである。具体的には、コメント１０１０は、ユーザにデフォルト画像の選択を促すためのテキストである。例えば、図１７に示すように、「デフォルト画像を選択してください」というコメント１０１０が表示される。なお、コメント１０１０の代わりに、音声でユーザにデフォルト画像の選択を促してもよい。
【０２２９】
複数のデフォルト画像１０２０は、ユーザによって選択可能である。つまり、複数のデフォルト画像１０２０は、タッチスクリーンに触れるユーザの指などによって選択される。
【０２３０】
ここで、図１７に示すデフォルト画像選択画面１０００を表示させる処理について、図１８を用いて説明する。図１８は、実施の形態の変形例に係るデフォルト画像の選択処理の一例を示すフローチャートである。具体的には、図１８は、図１０Ｂに示すデフォルト画像選択処理（Ｓ１３４）の詳細を示している。
【０２３１】
図１８に示すように、撮影確認画面６００の不同意ボタン６３０が選択された場合（Ｓ１２６でＮｏ）、表示制御部１３０は、デフォルト画像選択画面１０００を生成して、表示部１２０に表示させる（Ｓ１３４１）。これにより、ユーザは、複数のデフォルト画像１０２０の中から任意の１つのデフォルト画像を選択することができる。
【０２３２】
１つのデフォルト画像が選択された場合（Ｓ１３４２でＹｅｓ）、表示制御部１３０は、選択されたデフォルト画像をシーンアイコンとして設定する（Ｓ１３４３）。具体的には、入力部１１０がユーザによって選択されたデフォルト画像を検出した場合、表示制御部１３０は、選択されたデフォルト画像を新規シーンのシーンアイコンとして設定する。なお、デフォルト画像が選択されない場合（Ｓ１３４２でＮｏ）、デフォルト画像が選択されるまで待機する。
【０２３３】
これにより、撮影画像が取得されなかったことをユーザに提示することができるので、改めて撮影画像の取得を促すことができる。
【０２３４】
また、上記の各実施の形態では、１枚の撮影画像が取得された場合に、撮影画像をシーンアイコンとして設定する例について説明したが、これに限らない。例えば、複数の画像を撮影してもよい。
【０２３５】
例えば、図１０Ｂにおいて、撮像部１４０が起動された後（Ｓ１２８）、表示制御部１３０は、図１９に示す撮影終了確認画面１１００を生成し、生成した撮影終了確認画面１１００を表示部１２０に表示させる。例えば、撮影が行われる毎に、すなわち、１枚の撮影画像が取得される毎に、撮影終了確認画面１１００は表示される。
【０２３６】
ここで、図１９は、実施の形態の変形例に係る撮影終了確認画面１１００を示す図である。撮影終了確認画面１１００は、ユーザに撮影を終了するか否かを確認するための画面である。言い換えると、撮影終了確認画面１１００は、撮像部１４０による撮像を終了するか否かを確認するための画面である。図１９に示すように、撮影終了確認画面１１００は、コメント１１１０と、同意ボタン１１２０と、不同意ボタン１１３０とを含んでいる。
【０２３７】
コメント１１１０は、ユーザが行うべき操作を提示するためのテキストである。具体的には、コメント１１１０は、撮像部１４０による撮像を終了するか否かをユーザに確認するためのテキストである。例えば、図１９に示すように、「撮影を終了しますか？」というコメント１１１０が表示される。なお、コメント１１１０の代わりに、音声でユーザに撮影の確認を行ってもよい。
【０２３８】
同意ボタン１１２０は、ＧＵＩコンポーネントの一例であり、例えば、プッシュボタンである。同意ボタン１１２０は、撮像部１４０による撮像を終了させるためのボタンであり、コメント１１１０に対する同意を示すボタンである。
【０２３９】
同意ボタン１１２０が選択された場合、撮像部１４０による撮像は終了される。具体的には、入力部１１０が同意ボタン１１２０の押下を検出した場合に、撮像部１４０は停止される。
【０２４０】
不同意ボタン１１３０は、ＧＵＩコンポーネントの一例であり、例えばプッシュボタンである。不同意ボタン１１３０は、撮像部１４０による撮像を継続させるためのボタンであり、コメント１１１０に対する不同意を示すボタンである。
【０２４１】
不同意ボタン１１３０が選択された場合、撮像部１４０による撮像は継続される。具体的には、入力部１１０が不同意ボタン１１３０の押下を検出した場合に、撮像部１４０は、起動されたまま、すなわち、撮像が可能な状態に維持される。
【０２４２】
これにより、撮影を継続することができるので、撮像部１４０は、複数の画像を取得することができる。
【０２４３】
このとき、表示制御部１３０は、撮像部１４０によって取得された複数の画像を、新規シーンのシーンアイコンとして設定することができる。つまり、照明情報管理部１５０は、撮像部１４０によって取得された複数の画像を、新規シーンのシーンアイコンとして管理する。
【０２４４】
以下では、複数の画像を新規シーンアイコンとして表示する例について、図２０〜図２２を用いて説明する。なお、図２０〜図２２は、実施の形態の変形例に係るシーン選択画面の例を示す図である。
【０２４５】
例えば、図２０に示すシーン選択画面３００ａでは、複数の画像が並んだ状態でシーンアイコン３１０ａとして表示される。具体的には、表示制御部１３０は、複数の画像を並んだ状態でシーンアイコン３１０ａとして含むシーン選択画面３００ａを生成し、表示部１２０に表示させる。このとき、例えば、複数の画像は、二次元に並べられた１枚の画像として扱われる。
【０２４６】
また、例えば、図２１に示すシーン選択画面３００ｂでは、複数の画像の少なくとも一部が重なった状態でシーンアイコン３１０ｂとして表示される。具体的には、表示制御部１３０は、複数の画像の一部が重なって並んだ状態でシーンアイコンと３１０ｂとして含むシーン選択画面３００ｂを生成し、表示部１２０に表示させる。このとき、入力部１１０が複数の画像に対するスクロール操作を検出した場合、表示制御部１３０は、複数の画像のうち最も手前に表示された画像を他の画像と入れ替えて表示させてもよい。
【０２４７】
また、例えば、図２２に示すシーン選択画面３００ｃでは、複数の画像の全てが重なった状態でシーンアイコン３１０ｃとして表示される。このとき、表示制御部１３０は、所定期間が経過した場合に、複数の画像のうち最も手前に表示された画像を他の画像と入れ替えて表示させる。すなわち、表示制御部１３０は、複数の画像をスライドショー表示させる。例えば、一定期間が経過する毎に、図２２の（ａ）→（ｂ）→（ｃ）→（ａ）と順に表示される画像が変化する。
【０２４８】
これにより、複数の画像をシーンアイコンとして設定するので、ユーザは、複数の画像からシーンの雰囲気をより容易に確認することができる。例えば、撮影画像を取得する際に、複数の位置から複数の角度で空間を撮影することで、シーンの雰囲気をより詳しく撮影画像に残すことができる。
【０２４９】
なお、複数の撮影画像を取得した場合に、取得した複数の画像をまとめてシーンアイコンとして設定する例について示したが、これに限らない。例えば、ユーザが複数の撮影画像から１枚の撮影画像を選択し、選択された画像がシーンアイコンとして設定されてもよい。
【０２５０】
具体的には、表示制御部１３０は、複数の撮影画像の中からシーンアイコンとして１枚の撮影画像を選択させるための画面を生成し、生成した画面を表示部１２０に表示させてもよい。例えば、表示制御部１３０は、図１７に示すデフォルト画像選択画面１０００において、複数のデフォルト画像の代わりに複数の撮影画像を表示させればよい。
【０２５１】
また、上記の各実施の形態では、携帯端末１００の制御方法について、詳細な構成について説明したが、例えば、シーン名入力画面５００又は撮影確認画面６００などが表示されなくてもよい。具体的には、携帯端末１００は、図２３に示すフローチャートに従って制御されてもよい。なお、図２３は、実施の形態の変形例に係るシーンの設定方法の一例を示すフローチャートである。
【０２５２】
まず、表示制御部１３０は、１以上の照明機器による１以上の照明状態を示す１以上のシーンに対応する１以上のシーンアイコン３１０と、シーン設定ボタンとを含むシーン選択画面３００を、表示部１２０へ表示させる（Ｓ３０１）。シーン設定ボタンは、例えば、作成ボタン３３０及び編集ボタン３４０である。
【０２５３】
次に、１以上のシーンアイコンのうちの１つのシーンアイコンが選択された場合に（Ｓ３０２でＹｅｓ）、照明制御部１６０は、選択されたアイコンに対応するシーンが示す照明状態で空間を照明するように１以上の照明機器を制御するための制御信号を、１以上の照明機器へ送信させる（Ｓ３０３）。
【０２５４】
次に、シーン設定ボタンが選択された場合（Ｓ３０４でＹｅｓ）、１以上の照明機器による新たな照明状態を示す新規シーンを設定するための設定画面と、設定完了ボタンとを含むシーン設定画面を、表示部１２０へ表示させる（Ｓ３０５）。ここで、シーン設定画面は、例えば、シーン作成画面４００又はシーン編集画面８００である。
【０２５５】
なお、シーンアイコンが選択されない場合（Ｓ３０２でＮｏ）、及び、シーン設定ボタンが選択されない場合（Ｓ３０４でＮｏ）、表示制御部１３０は、いずれかのボタンが選択されるまで待機する。
【０２５６】
次に、表示制御部１３０及び照明制御部１６０は、ユーザによる設定画面の操作によって設定された照明状態を示す設定情報に基づいて１以上の照明機器を制御するための制御信号を、１以上の照明機器へ送信させる（Ｓ３０６）。
【０２５７】
次に、設定完了ボタンが選択された後（Ｓ３０７でＹｅｓ）、表示制御部１３０は、撮像部１４０を起動させる（Ｓ３０８）。
【０２５８】
次に、表示制御部１３０は、設定完了ボタンが選択されたときの設定情報を新規シーンの設定情報として、かつ、撮像部１４０によって画像が取得された場合、当該画像を新規シーンのシーンアイコンとして、照明情報管理部１５０へ記憶させる（Ｓ３０９）。
【０２５９】
最後に、表示制御部１３０は、新規シーンのシーンアイコンを含む新規シーン選択画面７００又は７００ａを、表示部１２０へ表示させる（Ｓ３１０）。
【０２６０】
以上のように、実施の形態の変形例に係る携帯端末１００の制御方法によれば、新規シーンを作成する際に、１以上の照明機器の設定が完了した後で、当該設定に基づいて１以上の照明機器によって照明される空間を撮影し、撮影によって取得された画像を新規シーンのシーンアイコンとして設定する。つまり、新規シーンの雰囲気を示す画像がシーンアイコンとして設定される。
【０２６１】
そして、シーン選択画面では、新規シーンの雰囲気を示す画像がシーンアイコンとして表示されるので、ユーザは、シーンアイコンを目視するだけで、シーンの雰囲気を容易に確認することができる。つまり、シーンアイコンが実際のシーンを撮影した画像であるから、ユーザは、視覚的にシーンの雰囲気を容易に確認することができる。
【０２６２】
また、上記の各実施の形態では、携帯端末１００が、表示制御部１３０、照明情報管理部１５０及び照明制御部１６０を備える例について説明したが、これに限らない。例えば、携帯端末１００とネットワークを介して接続されたサーバが表示制御部１３０、照明情報管理部１５０及び照明制御部１６０を備えてもよい。つまり、携帯端末は、サーバからネットワークを介して送信される指示に基づいて、画面の表示及び撮像を行う端末でもよい。
【０２６３】
図２４は、実施の形態の変形例に係る照明システム１０ａを示すブロック図である。図２４に示すように、照明システム１０ａは、第１携帯端末１２００と、第２携帯端末１２０１と、第１照明機器２００と、第２照明機器２０１と、サーバ装置１３００とを備える。
【０２６４】
第１携帯端末１２００は、空間を照明する１以上の照明機器を制御する端末の一例である。具体的には、第１携帯端末１２００は、１以上の照明機器（図２４に示す例では、第１照明機器２００及び第２照明機器２０１）を、サーバ装置１３００を介して制御する。
【０２６５】
図２４に示すように、第１携帯端末１２００は、入力部１１０と、表示部１２０と、撮像部１４０と、通信部１７０とを備える。
【０２６６】
各処理部は、サーバ装置１３００からの指示に基づいて処理をする。例えば、表示部１２０は、サーバ装置１３００の表示制御部１３０によって生成され、通信部１７０を介して取得した画面を表示する。また、撮像部１４０は、撮像により取得した画像を、通信部１７０を介してサーバ装置１３００へ送信する。また、入力部１１０は、ユーザによる操作入力を、通信部１７０を介してサーバ装置１３００へ送信する。
【０２６７】
第２携帯端末１２０１は、第１携帯端末１２００と同様に、空間を照明する１以上の照明機器を制御する端末の一例である。つまり、第１照明機器２００及び第２照明機器２０１は、第１携帯端末１２００及び第２携帯端末１２０１のそれぞれからの制御が可能である。言い換えると、１以上の照明機器は、１以上の携帯端末のそれぞれによって制御されうる。なお、第２携帯端末１２０１は、第１携帯端末１２００と同様に、入力部１１０と、表示部１２０と、撮像部１４０と、通信部１７０とを備える。
【０２６８】
サーバ装置１３００は、空間を照明する１以上の照明機器を制御する携帯端末を制御するサーバである。具体的には、サーバ装置１３００は、第１携帯端末１２００及び第２携帯端末１２０１を制御する。
【０２６９】
図２４に示すように、サーバ装置１３００は、通信部１３１０と、表示制御部１３０と、照明情報管理部１５０と、照明制御部１６０とを備える。
【０２７０】
通信部１３１０は、照明制御部１６０によって生成された制御信号を、ネットワークを介して接続された１以上の照明機器に送信する。また、通信部１３１０は、表示部１２０へ表示させるための表示制御部１３０によって生成された画面を示す情報を第１携帯端末１２００に送信する。また、通信部１３１０は、入力部１１０及び表示部１２０を介して取得されたユーザからの操作入力を第１携帯端末１２００から受信する。また、通信部１３１０は、撮像部１４０によって取得された画像を第１携帯端末１２００から受信する。
【０２７１】
例えば、通信部１３１０は、無線ＬＡＮ（Ｌｏｃａｌ  Ａｒｅａ  Ｎｅｔｗｏｒｋ）モジュール、Ｂｌｕｅｔｏｏｔｈ（登録商標）モジュール、ＮＦＣ（Ｎｅａｒ  Ｆｉｅｌｄ  Ｃｏｍｍｕｎｉｃａｔｉｏｎ）モジュールなどの通信インタフェースである。なお、通信部１３１０は、有線ＬＡＮ端子などでもよい。
【０２７２】
例えば、第１携帯端末１２００が第１シーンを作成し、第２携帯端末１２０１が第２シーンを作成した場合を想定する。具体的には、第１携帯端末１２００及び第２携帯端末１２０１はそれぞれ、サーバ装置１３００と通信することで、第１シーン及び第２シーンを作成する。このとき、サーバ装置１３００の照明情報管理部１５０は、第１シーン及び第２シーンを含むシーン情報を管理する。
【０２７３】
表示制御部１３０は、照明情報管理部１５０によって管理されたシーン情報に基づいてシーン選択画面を生成するので、シーン選択画面には第１シーンのシーンアイコンと第２シーンのシーンアイコンとが表示される。これにより、第１携帯端末１２００及び第２携帯端末１２０１のいずれでも、第１シーン及び第２シーンを選択することができる。
【０２７４】
以上のように、サーバ装置１３００が１以上の携帯端末及び１以上の照明機器を制御することにより、ユーザにとっての利便性を高めることができる。例えば、ユーザは、１以上の携帯端末のいずれを用いてシーンを作成したとしても、いずれの携帯端末からもシーンの選択が可能となる。
【０２７５】
なお、このとき、第１携帯端末１２００及び第２携帯端末１２０１が、表示制御部１３０及び照明制御部１６０を備え、サーバ装置１３００が、照明情報管理部１５０を備えてもよい。つまり、サーバ装置１３００は、シーン情報及び操作対象照明情報をまとめて管理し、第１携帯端末１２００及び第２携帯端末１２０１は、制御信号を生成して１以上の照明機器に送信してもよい。
【０２７６】
また、各実施の形態において、各ボタンは、プッシュボタンである例について示したが、これに限らない。例えば、各ボタンは、ラジオボタン、チェックボックス、ドロップダウンリスト、又は、リストボックスなどのＧＵＩコンポーネントでもよい。上記の各実施の形態において、各構成要素は、専用のハードウェアで構成されてもよく、あるいは、各構成要素に適したソフトウェアプログラムを実行することによって実現されてもよい。各構成要素は、ＣＰＵ又はプロセッサなどのプログラム実行部が、ハードディスク又は半導体メモリなどの記録媒体に記録されたソフトウェアプログラムを読み出して実行することによって実現されてもよい。
【０２７７】
なお、上述した具体的実施形態には以下の態様を有する発明が主に含まれている。
【０２７８】
本開示にかかる一の態様は、空間を照明する１以上の照明機器を制御する携帯端末の制御方法であって、前記携帯端末は、表示部と、撮像部とを備え、前記携帯端末の制御方法は、前記携帯端末のコンピュータに対して、前記１以上の照明機器による新たな照明状態を示す新規シーンを設定するための設定画面と、設定完了ボタンとを含むシーン設定画面を、前記表示部へ表示させ、ユーザによる前記設定画面の操作によって設定された照明状態を示す設定情報に基づいて前記１以上の照明機器を制御するための制御信号を、前記１以上の照明機器へ送信させ、前記設定完了ボタンが選択された後、前記撮像部を起動させ、前記設定完了ボタンが選択されたときの前記設定情報を前記新規シーンの設定情報として、メモリへ記憶させ、かつ、前記撮像部によって画像が取得された場合、当該画像を前記新規シーンのシーンアイコンとして、前記メモリへ記憶させ、前記新規シーンのシーンアイコンを含む新規シーン選択画面を、前記表示部へ表示させるものである。
【０２７９】
これにより、シーンの雰囲気を容易に確認することができる。
【０２８０】
なお、例えば、シーン選択画面は、前記１以上の照明機器による１以上の照明状態を示す１以上のシーンに対応するシーンアイコンと、シーン設定ボタンとを含み、前記携帯端末の制御方法は、さらに、前記シーン選択画面を表示させ、前記１以上のシーンアイコンのうちの１つのシーンアイコンが選択された場合に、選択されたシーンアイコンに対応するシーンが示す照明状態で前記空間を照明するように前記１以上の照明機器を制御するための制御信号を、前記１以上の照明機器へ送信させ、前記シーン設定ボタンが選択された場合、前記シーン設定画面を、前記表示部へ表示させてもよい。
【０２８１】
また、例えば、前記シーン設定ボタンは、シーン作成ボタンであり、前記シーン設定画面の表示では、前記シーン作成ボタンが選択された場合に、前記シーン設定画面を前記表示部へ表示させ、前記新規シーン選択画面の表示では、前記１以上のシーンアイコンと、前記新規シーンのシーンアイコンとを含む前記新規シーン選択画面を、前記表示部へ表示させてもよい。
【０２８２】
これにより、新規シーン選択画面には、既存の１以上のシーンアイコンと、新たに追加された新規シーンのシーンアイコンとが表示されるので、ユーザは、表示されたシーンアイコンを見ながら、新たに追加した新規シーンを選択することができる。シーンアイコンが撮像部によって取得された画像であるので、ユーザは、シーンの雰囲気を容易に確認することができる。
【０２８３】
また、例えば、前記シーン設定ボタンは、シーン編集ボタンであり、前記シーン設定画面の表示では、前記１以上のシーンアイコンのうち１つのシーンアイコンが選択された状態で前記シーン編集ボタンが選択された場合に、前記シーン設定画面を前記表示部へ表示させ、前記選択されたシーンアイコンに対応するシーンを編集することで前記新規シーンを設定してもよい。
【０２８４】
これにより、選択されたシーンアイコンに対応するシーンを編集するので、例えば、不要なシーンを必要な新規シーンに置き換えることができる。
【０２８５】
また、例えば、前記新規シーン選択画面の表示では、前記１以上のシーンアイコンのうち前記選択されたシーンアイコンの代わりに、又は、前記１以上のシーンアイコンとともに、前記新規シーンのシーンアイコンを含む前記新規シーン選択画面を、前記表示部へ表示させてもよい。
【０２８６】
これにより、不要なシーンを削除することができ、あるいは、既存のシーンを残したまま新たな新規シーンを保存することができる。例えば、不要なシーンを削除することにより、メモリ資源を有効に利用することができる。
【０２８７】
また、例えば、前記ユーザによる操作前における前記設定画面に設定された照明状態は、選択されたシーンアイコンに対応するシーンが示す照明状態であってもよい。
【０２８８】
これにより、操作前における設定画面に設定された照明状態が、選択されたシーンアイコンに対応するシーンが示す照明状態であるため、既存のシーンに基づいて新規シーンの設定ができるので、容易に新規シーンを設定することができる。例えば、既存のシーンとは少しだけ異なるシーンを設定する場合などに特に有用である。
【０２８９】
また、例えば、前記携帯端末の制御方法は、さらに、前記設定完了ボタンが選択された場合に、前記撮像部を起動させるための起動ボタンを、前記表示部へ表示させ、前記撮像部の起動では、前記起動ボタンが選択された場合に、前記撮像部を起動させてもよい。
【０２９０】
これにより、撮像部を起動させるための起動ボタンを表示させるので、撮像の必要性をユーザに提示することができる。
【０２９１】
また、例えば、前記起動ボタンの表示では、前記撮像部を起動させないための不起動ボタンを、前記起動ボタンとともに前記表示部へ表示させ、前記メモリへの記憶では、前記不起動ボタンが選択された場合、デフォルト画像を前記新規シーンのシーンアイコンとして、前記メモリへ記憶させてもよい。
【０２９２】
これにより、起動ボタンと不起動ボタンとを表示させるので、ユーザに撮像するか否かを選択させることができる。
【０２９３】
また、例えば、前記携帯端末の制御方法は、さらに、前記不起動ボタンが選択された場合に、複数のデフォルト画像を含むデフォルト画像選択画面を、前記表示部へ表示させ、前記メモリへの記憶では、前記不起動ボタンが選択された場合、前記複数のデフォルト画像から選択されたデフォルト画像を前記新規シーンのシーンアイコンとして、前記メモリへ記憶させてもよい。
【０２９４】
これにより、撮像が行われなかった場合でも、複数のデフォルト画像の中から１つのデフォルト画像を選択して表示させるので、ユーザに、撮像が行われなかったことを提示することができる。
【０２９５】
また、例えば、前記起動ボタンの表示では、前記撮像部による撮像を行うか否かを前記ユーザに確認するためのコメントを、前記起動ボタン及び前記不起動ボタンとともに、前記表示部へ表示させ、前記起動ボタンは、前記コメントに対する同意を示すボタンであり、前記不起動ボタンは、前記コメントに対する不同意を示すボタンであってもよい。
【０２９６】
これにより、撮像部による撮像を行うか否かをユーザに確認するためのコメントを表示させるので、ユーザは、目視により容易に行うべきことを判断することができる。
【０２９７】
また、例えば、前記撮像部の起動では、前記設定完了ボタンが選択された場合に、前記撮像部を起動させてもよい。
【０２９８】
これにより、設定完了ボタンが選択された場合には撮像部が起動されるので、ユーザに画像の取得を強く促すことができる。例えば、設定完了ボタンが選択された場合に、直ちに、かつ、強制的に撮像部を起動させることで、ユーザに画像の取得をより強く促すことができる。
【０２９９】
また、例えば、前記新規シーン選択画面では、前記新規シーンのシーンアイコンを、選択された状態で表示させてもよい。
【０３００】
これにより、新規シーンのシーンアイコンが選択された状態で表示されて、空間は、新規シーンに対応する照明状態で照明される。
【０３０１】
また、例えば、前記携帯端末の制御方法は、さらに、前記設定完了ボタンが選択された場合、前記ユーザにシーン名を入力させるための入力画面を、前記表示部へ表示させ、前記メモリへの記憶では、さらに、前記入力画面に入力されたシーン名を前記新規シーンのシーン名として、前記メモリへ記憶させてもよい。
【０３０２】
これにより、ユーザに新規シーンのシーン名を入力させることができるので、ユーザは自身が識別しやすい名称をシーン名として登録することができる。
【０３０３】
また、例えば、前記メモリへの記憶では、前記撮像部によって複数の画像が取得された場合、当該複数の画像を前記新規シーンのシーンアイコンとして、前記メモリへ記憶させてもよい。
【０３０４】
これにより、画像を複数回撮影することができるので、例えば、様々な角度から空間を撮影した画像をシーンアイコンとして利用することができる。したがって、ユーザは、より容易にシーンの雰囲気を確認することができる。
【０３０５】
また、例えば、前記新規シーン選択画面では、前記複数の画像を並んだ状態で前記シーンアイコンとして表示させてもよい。
【０３０６】
これにより、複数の画像を並べて表示させるので、ユーザは、より容易にシーンの雰囲気を確認することができる。
【０３０７】
また、例えば、前記新規シーン選択画面では、前記複数の画像を少なくとも一部が重なった状態で前記シーンアイコンとして表示させてもよい。
【０３０８】
これにより、複数の画像を少なくとも一部が重なった状態で表示させるので、１つの画面に多くの画像を表示させることができる。したがって、ユーザは、より多くの画像を見ることができ、より容易にシーンの雰囲気を確認することができる。
【０３０９】
また、例えば、前記新規シーン選択画面では、前記複数の画像に対するスクロール操作が検出された場合、又は、所定期間が経過した場合、前記複数の画像のうち最も手前に表示された画像を他の画像と入れ替えて表示させてもよい。
【０３１０】
これにより、一番手前に表示される画像を入れ替えることができるので、ユーザは、複数の画像のそれぞれの全体を見ることができ、より容易にシーンの雰囲気を確認することができる。
【０３１１】
なお、これらの包括的又は具体的な態様は、システム、装置、集積回路、コンピュータプログラム又はコンピュータ読み取り可能なＣＤ−ＲＯＭなどの記録媒体で実現されてもよく、システム、装置、集積回路、コンピュータプログラム及び記録媒体の任意な組み合わせで実現されてもよい。
【０３１２】
ここで、上記の各実施の形態の携帯端末を実現するソフトウェアは、次のようなプログラムである。
【０３１３】
すなわち、当該プログラムは、空間を照明する１以上の照明機器を制御する携帯端末の制御プログラムであって、前記携帯端末は、表示部と、撮像部とを備え、前記携帯端末の制御方法は、前記携帯端末のコンピュータに対して、前記１以上の照明機器による新たな照明状態を示す新規シーンを設定するための設定画面と、設定完了ボタンとを含むシーン設定画面を、前記表示部へ表示させ、ユーザによる前記設定画面の操作によって設定された照明状態を示す設定情報に基づいて前記１以上の照明機器を制御するための制御信号を、前記１以上の照明機器へ送信させ、前記設定完了ボタンが選択された後、前記撮像部を起動させ、前記設定完了ボタンが選択されたときの前記設定情報を前記新規シーンの設定情報として、メモリへ記憶させ、かつ、前記撮像部によって画像が取得された場合、当該画像を前記新規シーンのシーンアイコンとして、前記メモリへ記憶させ、前記新規シーンのシーンアイコンを含む新規シーン選択画面を、前記表示部へ表示させる。
【産業上の利用可能性】
【０３１４】
本発明は、カメラ機能を有する携帯端末の制御方法に利用可能であり、例えば、スマートフォンや携帯電話、タブレット端末、ＰＤＡなどに利用することができる。
【符号の説明】
【０３１５】
１０、１０ａ  照明システム
１００  携帯端末
１１０  入力部
１２０  表示部
１３０  表示制御部
１４０  撮像部
１５０  照明情報管理部
１６０  照明制御部
１７０、２１０、１３１０  通信部
２００  第１照明機器
２０１  第２照明機器
２２０  運転制御部
３００、３００ａ、３００ｂ、３００ｃ  シーン選択画面
３１０、３１０ａ、３１０ｂ、３１０ｃ、７１０、７１０ａ  シーンアイコン
３２０、７２０、８４０  シーン名
３３０  作成ボタン
３４０  編集ボタン
３５０、４１３  スクロールボタン
３６０  枠
４００  シーン作成画面
４１０、８１０  設定画面
４１１ａ、８１１ａ  調光スライダ
４１１ｂ、８１１ｂ  調色スライダ
４１２  照明機器名
４２０  完了ボタン
５００  シーン名入力画面
５１０、６１０、９１０、１０１０、１１１０  コメント
５２０  テキストボックス
５３０  確認ボタン
５４０  キャンセルボタン
６００  撮影確認画面
６２０、９２０、１１２０  同意ボタン
６３０、９３０、１１３０  不同意ボタン
７００、７００ａ、７００ｂ  新規シーン選択画面
８００  シーン編集画面
８３０  削除ボタン
９００  保存確認画面
１０００  デフォルト画像選択画面
１０２０  デフォルト画像
１１００  撮影終了確認画面
１２００  第１携帯端末
１２０１  第２携帯端末
１３００  サーバ装置
【図１】
2015128043.tif 000003
【図２】
2015128043.tif 000004
【図３】
2015128043.tif 000005
【図４】
2015128043.tif 000006
【図５】
2015128043.tif 000007
【図６】
2015128043.tif 000008
【図７】
2015128043.tif 000009
【図８】
2015128043.tif 000010
【図９】
2015128043.tif 000011
【図１０Ａ】
2015128043.tif 000012
【図１０Ｂ】
2015128043.tif 000013
【図１１】
2015128043.tif 000014
【図１２】
2015128043.tif 000015
【図１３Ａ】
2015128043.tif 000016
【図１３Ｂ】
2015128043.tif 000017
【図１４】
2015128043.tif 000018
【図１５】
2015128043.tif 000019
【図１６】
2015128043.tif 000020
【図１７】
2015128043.tif 000021
【図１８】
2015128043.tif 000022
【図１９】
2015128043.tif 000023
【図２０】
2015128043.tif 000024
【図２１】
2015128043.tif 000025
【図２２】
2015128043.tif 000026
【図２３】
2015128043.tif 000027
【図２４】
2015128043.tif 000028